(57)【要約】【課題】ザラボヤとか他の雑物が大量に付着した貝付きロープであっても、それがスリップせずに確実に引き上げ可能な漁業用回転体と、洗浄装置を提供する。【解決手段】回転体の胴体の外周に養殖・天然物が係止可能な滑り止め突起を設けた。回転体の胴体を空間のあるフレームとし、その外周に養殖・天然物が係止可能な滑り止め突起、又は、滑り止め突起と滑り止め空間を設けた。滑り止め突起又は滑り止め突起と滑り止め空間を、細幅の長板を波形に曲げて貝付きロープを係止可能とした波板又はその波板を波形の高さ方向に多数本連続させて波状網とした。滑り止め突起又は滑り止め突起と滑り止め空間を、細幅の短板を多数枚連結して波状に形成した波板又はその波板を波形の高さ方向に多数本連続させて波状網としたものとした、【選択図】図２
2011087489.tif 000002
【特許請求の範囲】
【請求項１】
海中からの養殖・天然物の引き上げ、海中への養殖・天然物の送り出しに使用可能な漁業用回転体において、
回転体の胴体に養殖・天然物が係止可能な滑り止め空間と滑り止め突起の双方又は滑り止め突起を設けたことを特徴とする漁業用回転体。
【請求項２】
請求項１記載の漁業用回転体において、滑り止め突起がブロック状、Ｖ字状、板状といった各種形状の突起であり、それらが回転体の胴体に取り付けられ、一つの胴体に取り付けられる滑り止め突起が同じ形状であるか又は異なる形状であることを特徴とする漁業用回転体。
【請求項３】
請求項１記載の漁業用回転体において、滑り止め突起がシート又は薄板に形成されたブロック状、Ｖ字状、板状といった各種形状の突起であり、そのシート又は薄板を回転体の胴体に取り付けることにより、胴体に滑り止め突起を設けたことを特徴とする漁業用回転体。
【請求項４】
海中からの養殖・天然物の引き上げ、海中への養殖・天然物の送り出しに使用可能な漁業用回転体において、
回転体の胴体を滑り止め空間と滑り止め突起のあるフレームとしたことを特徴とする漁業用回単体。
【請求項５】
海中からの養殖・天然物の引き上げ、海中への養殖・天然物の送り出しに使用可能な漁業用回転体において、
胴体を空間のあるフレームとし、そのフレームの外周に養殖・天然物が係止可能な滑り止め突起又は滑り止め突起と滑り止め空間を設けたことを特徴とする漁業用回転体。
【請求項６】
請求項５記載の漁業用回転体において、滑り止め突起又は滑り止め突起と滑り止め空間は、細幅の長板を波形に曲げて貝付きロープを係止可能とした波板又はその波板を波形の高さ方向に多数本連続させて波状網としたものであることを特徴とする漁業用回転体。
【請求項７】
請求項５記載の漁業用回転体において、滑り止め突起又は滑り止め突起と滑り止め空間は、細幅の短板を多数枚連結して波状に形成した波板又はその波板を波形の高さ方向に多数本連続させて波状網としたものであることを特徴とする漁業用回転体。
【請求項８】
養殖・天然物を回転体の外周に掛けて海中から引き上げるための回転体と海中に送り込むための回転体の双方又はいずれか一方と、養殖・天然物を海中から引き上げながら洗浄可能な洗浄部を備えた洗浄装置において、前記回転体として請求項１乃至請求項７のいずれかに記載漁業用回転体を備えたことを特徴とする洗浄装置。
【発明の詳細な説明】
【技術分野】
【０００１】
本願発明は、吊下げ養殖する帆立貝、あこや貝、牡蠣といった貝類を係止して海中に吊下げてある貝付きロープ、昆布や他の海産物（これらをまとめて「養殖・天然物」という。）を海中から引き上げるとき、又は引き上げ後に洗浄して海中に戻すとき、或いは新規に養殖物・天然物を海中に投入するときに、養殖・天然物を案内するのに適する漁業用回転体及びこれを備えた洗浄装置に関するものである。
【背景技術】
【０００２】
帆立貝、あこや貝、牡蠣等（以下、「貝類」という。）は、ロープに差し込んだ樹脂製の係止ピンやテグスを貝類に開けた孔に通し、貝の付いたロープを海中に吊下げて養殖する吊下げ養殖（帆立貝の養殖では耳吊り養殖といわれている。）という方法で養殖されることがある。
【０００３】
吊下げ養殖では貝類を海中に吊しておく間に貝表面にザラボヤ、ムラサキイガイ、海草、その他海中の生物や塵芥等（以下これらを「雑物」という。）が大量に付着する。雑物が付着すると貝の成長に好ましくないばかりでなく、体裁が悪くて出荷時に問題となるため、養殖の途中で貝を海から引上げて洗浄しているのが現状である。
【０００４】
吊下げ養殖中の貝類を洗浄するには海中に吊るしてある貝付きロープを引き上げている。このとき、貝付きロープをドラムなどの回転体の外周に回して海中から鉛直方向に引き上げ、回転体で水平方向に向きを変えて引き上げ、その貝付きロープを洗浄装置に引き込んで洗浄している。
【０００５】
本件出願人は、本願に先立って吊下げ養殖中の貝類を洗浄する洗浄装置を特許出願している（特許文献１）。この特許出願に係る洗浄装置も回転体を備えており、この回転体を通じて吊下げ養殖中の貝付きロープを引き上げ、洗浄装置内に引き込んで洗浄装置の洗浄通路を通過する間に貝類とロープの汚れを洗浄除去するものである。
【先行技術文献】
【特許文献】
【０００６】
【特許文献１】特開２００１−１９１０４１号公報
【発明の概要】
【発明が解決しようとする課題】
【０００７】
貝類を係止して海中に吊下げられた８ｍｍ径のロープの場合、その長さと取り付ける貝の枚数にもよるが、例えば、海中に投入後半年程度で貝及びロープにザラボヤなどが大量に付着して、見かけ上１００〜２００ｍｍの径となり、その重量も１本当たり３０〜５０ｋｇにもなることがある。このように重くなった貝付きロープを引き上げると、貝付きロープが回転体の胴体外周面でスリップしてスムースに引き上げられないとか、貝が回転体とこすれてロープから落下するといったことがある。このため、場合によっては、作業員が貝付きロープを洗浄装置の出口側に引いてスリップを防止していることもある。この場合は、ロープを引くために専属の作業員が必要になり、人件費増大の一因になる。
【０００８】
本願発明の課題は、養殖・天然物、特に、昆布等のように長い海産物や、雑物が大量に付着している貝付きロープ等の養殖・天然物を海中から引き上げるときに、それらがスリップせずに確実に引き上げられ、海中から引き上げて洗浄した養殖・天然物を海中に戻すとき、或いは新規に海中に吊るす貝付きロープ等を海中に投入するときに、それらがスリップせずに海中に送り込まれるようにする漁業用回転体と、この漁業用回転体を備えた洗浄装置を提供することにある。
【課題を解決するための手段】
【０００９】
本願発明の漁業用回転体の一つは、海中からの養殖・天然物の引き上げ、海中への養殖・天然物の送り出しに使用可能な漁業用回転体において、回転体の胴体に養殖・天然物を係止可能な滑り止め空間と滑り止め突起の双方又は滑り止め突起を備えたものである。滑り止め突起はブロック状、Ｖ字状、板状といった各種形状の突起であってもよく、それらを回転体の胴体に個々に取り付けたり、それら突起が形成されたシートや薄板を胴体に取り付けたりしたものであってもよい。一つの胴体に取り付ける滑り止め突起は同じ形状のものでも異なる形状のものもよい。いずれの場合も滑り止め突起だけでなく養殖・天然物が係止可能な滑り止め空間を備えたものがよい。
【００１０】
本願発明の漁業用回転体の一つは、海中からの養殖・天然物の引き上げ、海中への養殖・天然物の送り出しに使用可能な漁業用回転体において、回転体の胴体を滑り止め空間と滑り止め突起のあるフレームとしたものである。
【００１１】
本願発明の漁業用回転体の一つは、、海中からの養殖・天然物の引き上げ、海中への養殖・天然物の送り出しに使用可能な漁業用回転体において、胴体を空間のあるフレームとし、そのフレームの外周に養殖・天然物が係止可能な滑り止め突起又は滑り止め突起と滑り止め空間を設けたものである。滑り止め突起又は滑り止め突起と滑り止め空間は細幅の長板を波形に曲げて貝付きロープを係止可能とした波板又はその波板を波形の高さ方向に多数本連続させて波状網としたものである。この場合、細幅の長板を波形に曲げるのではなく、細幅の短板を多数枚連結して波状に形成した波板や、それを波形の高さ方向に多数本連続させた波状網を胴体に取り付けることもできる。
【００１２】
本願発明の洗浄装置は、養殖・天然物を回転体の外周に掛けて海中から引き上げるための回転体と海中に送り込むための回転体の双方又はいずれか一方と、養殖・天然物を海中から引き上げながら洗浄可能な洗浄部を備えた洗浄装置において、前記回転体として前記漁業用回転体を備えたものである。
【発明の効果】
【００１３】
本願発明の漁業用回転体は次のような効果がある。
（１）胴体が養殖・天然物とそれらに付着している雑物が係止可能な滑り止め空間と滑り止め突起の双方又は滑り止め突起を備えているので、ザラボヤなどの雑物が大量に付着した貝付きロープであっても、滑りやすい昆布であっても回転体の胴体表面でスリップすることなく確実に引き上げることができる。
（２）胴体が滑り止め空間と滑り止め突起を備えたフレームであるため、従前の胴体が筒状である回転体よりも軽量になる。また、貝付きロープに付着している雑物が引き上げ時に回転体上で落下しても、フレームの空間から抜け落ちるため、回転体を海上に突出するように船に装備しておけば、抜け落ちた雑物が海中に落下するため、船の中の汚れが減少する。
（３）滑り止め突起のほかに、滑り止め空間を設けたので、海中から引き上げられる養殖・天然物やそれらに付着している雑物が滑り止め空間内に落ち込んで（入り込んで）滑り止め突起に係止し易くなり、スリップの防止が一層確実になる。
【００１４】
本願発明の洗浄装置は、前記効果のある漁業用回転体が装備されているので、漁業用回転体を介して引き上げた養殖・天然物が確実に洗浄装置内に引き込まれ、養殖・天然物を海中から引き上げながら連続的に効率良く洗浄作業することができる。
【図面の簡単な説明】
【００１５】
【図１】（ａ）は本願発明の漁業用回転体を備えた洗浄装置の一例を示す断面図、（ｂ）はその洗浄装置の外観図。
【図２】（ａ）は回転体の一例を示す斜視図、（ｂ）は（ａ）の回転体のフレーム外周に波状網を取り付けた本願発明の漁業用回転体の一例を示す斜視図。
【図３】（ａ）は本願発明の漁業用回転体に巻付けられる波状網の一例を示す平面図、（ｂ）は波状網の部分斜視図。
【図４】（ａ）は胴体に滑り止め突起を取り付けた本願発明の漁業用回転体の一例を示す斜視図、（ｂ）は（ａ）の漁業用回転体に取り付ける突起の説明図、（ｃ）は（ａ）の漁業用回転体の胴体に巻きつけられる突起付きシートの一例を示す説明図、（ｄ）は（ｃ）の突起付きシートのＸ−Ｘ断面図。
【図５】（ａ）は本願発明の漁業用回転体の胴体に巻きつけられる突条付きシートの他例を示す斜視図、（ｂ）は（ａ）の突条付きシートを図１（ａ）における胴体に巻きつけた状態の断面図。
【図６】（ａ）は胴体にＶ字状の滑り止め突起を取り付けた本願発明の漁業用回転体の例を示す斜視図、（ｂ）はＶ字状の滑り止め突起の斜視図。
【図７】本願発明の洗浄装置の一例を示す分解説明図。
【図８】（ａ）は櫛型押し具を備えた洗浄装置を示す説明図、（ｂ）は上下に搬送体を備えた洗浄装置を示す説明図。
【図９】（ａ）〜（ｃ）は本願発明の洗浄装置による洗浄時の貝と押し具の説明図。
【図１０】本願発明の洗浄装置における洗浄済み貝付きロープの送り出し部分の説明図。
【図１１】本願発明の漁業用回転体を取り付けたドラム型洗浄装置の概要図。
【発明を実施するための形態】
【００１６】
（洗浄装置の概要）
本願発明の漁業用回転体及びその回転体を備えた洗浄装置の第１の実施形態を図に基づいて説明する。本願発明の洗浄装置は海中から引き上げた昆布や他の海産物の洗浄にも利用できるものであるが、図示した洗浄装置は海中から引き上げた貝付きロープＬを洗浄する場合の実施形態である。図１（ａ）は漁業用回転体１を備えた洗浄装置２を示す側面図であり、この洗浄装置２は船上に設置して、海中から引き上げた貝付きロープ（貝類４が係止されている吊下げロープ３）Ｌに付着している前記雑物を除去すると共に吊下げロープ３及び貝類４を洗浄する（以下、これら除去及び洗浄を合わせて「洗浄」という）。
【００１７】
吊下げ養殖とは、吊下げロープ（縦ロープ）３に間隔をあけて差し込んだ係止ピン５や吊下げロープ３に結んだテグスを貝類４に開けた孔に通して貝類を係止し、吊下げロープ３を海中に吊下げることにより貝類４を海中に吊るして養殖する方法である。
【００１８】
（漁業用回転体の実施形態１）
漁業用回転体１の一例として図２（ａ）に示すものは、対向配置された２枚の鍔１７の間に金属製の棒、パイプといった細長材１７ａを数本、鍔１７の周方向に配置して胴体１６を空間１７ｂのあるフレームとしたものであり、細長材１７ａを養殖・天然物が係止可能な滑り止め突起とし、細長材間１７ａの空間１７ｂを養殖・天然物が係止可能な滑り止め空間としてある。胴体１６の形状は円筒状に限らず多角筒状とすることも可能であり、細長材も角棒、角パイプ、丸棒、丸パイプ、板材等とすることができる。鍔１７は省略することもできる。漁業用回転体１は中心軸を回転軸として図２（ａ）、（ｂ）の矢印Ｙ方向に回転可能であり、引き上げ装置の引張力による吊下げロープ３に伴って自由回転する構造とすることも、モータなどの駆動装置を備えて強制回転させる構造とすることもできる。漁業用回転体１自身が回転する構造とした場合はその回転を搬送体６（図７）の駆動スプロケット９ａ（図１（ａ））の回転と同期回転させると、漁業用回転体１で引き上げられた貝付きロープＬが通路８内にスムースに引き込まれる。本願発明の漁業用回転体１は、図２（ａ）の漁業用回転体１の胴体１６の外周に図２（ｂ）に示すように波状網１９を巻付けて固定したものとすることもできる。
【００１９】
（漁業用回転体の実施形態２）
漁業用回転体１の一例として図２（ｂ）に示すものは、図２（ａ）のように胴体１６を空間１８のあるフレームとし、そのフレームの外周に波状網１９を巻き付け、その波状網１９をスリップしないように胴体１６に溶接、針金、他の止め具、接着剤などで固定したものである。波状網１９は図３（ｂ）に示すように細幅板１９ａをコの字形に曲げて波の山の部分と谷の部分（いずれも貝付きロープＬが係止可能な滑り止め突起）１８ａと滑り止め空間１８ｂが繰り返し形成された波板２０が、山の高さＨ方向（谷の深さ方向でもある：図３（ａ））に多数列並べて連結されて網状にしてある。この滑り止め突起１８ａと滑り止め空間１８ｂの形状はコの字形に限らず、半円形としたり、三角形としたり、五角形とするなど任意の形状を選択できるうえ、板材のほか棒材やパイプ材、特に角棒や角パイプで成形することもできる。
【００２０】
図３（ｂ）に示すように波板２０の波山、波谷のコーナー部分には上挿入孔２０ｂが、下端部には下挿入孔２０ｃがそれぞれ設けられ、上側に配置された波板２０の下挿入孔２０ｃと、下側に配置された波板２０の上挿入孔２０ｂが重ねられて、下挿入孔２０ｃと上挿入孔２０ｂを連結軸２１が貫通して、上下に配置された波板２０が相互にピンで回転自由に連結されて網状になっている。このように波状網１９は、波板２０同士が回転自由に連結されているため、図２（ｂ）のように胴体１６の円筒形状に対しても追随して巻き付け可能となる。波状網１９を構成する波板２０及び連結軸２１は金属製や樹脂製等とすることができるが、金属製とする場合は海中使用するため防錆加工を施すかステンレス製とすることが望ましい。
【００２１】
従来の漁業用回転体の胴体１６では、ザラボヤなどの雑物が大量に付着した貝付きロープＬは胴体でスリップし、漁業用回転体１が空転することで貝付きロープＬを引き上げできない場合があったが、本願発明の漁業用回転体１は図３（ａ）に示す波状網１９が巻付け固定されており、波状網１９には波の山部による多数の滑り止め突起１８ａだけでなく、波の山部と谷部の間の滑り止め空間１８ｂもあるため、貝付きロープＬ、貝類４、それらに付着している雑物等がその滑り止め空間１８ｂ内に入って（落ち込んで）波状網１９の滑り止め突起１８ａに係止し易くなり、確実に引き上げ可能となる。
【００２２】
（漁業用回転体の実施形態３）
漁業用回転体の実施形態２として図４（ａ）に示すものはドラム状の胴体１６の外周面に図４（ｂ）に示すような滑り止め突起４３を千鳥配列で固定して滑り止め突起４３の間に滑り止め空間４１を設けてある。滑り止め突起４３はビス、釘、接着剤等の止め具で胴体１６や鍔１７に固定することができる。この滑り止め空間も貝付きロープＬ、貝類４、雑物等が落ち込んで、滑り止め突起４３に係止し易くするためのものである。
【００２３】
（漁業用回転体の実施形態４）
漁業用回転体１は図４（ｃ）に示すように多数の滑り止め突起４３が千鳥配列で突設されて滑り止め空間４１も形成されたシートや薄板４２を、図４（ａ）のように胴体１６の外周面に巻きつけて固定することもできる。図５に示すように多数本の滑り止め突起４３を細長に突設してそれらの間に滑り止め空間４１も形成したシートや薄板４２を図５（ｂ）のように胴体１６の外周面に巻きつけて固定することもできる。
【００２４】
（漁業用回転体の実施形態５）
漁業用回転体１は図６のようにＶ字状の滑り止め突起４０を胴体１６の外周面に千鳥配列で取り付けてそれら滑り止め突起４３の間に滑り止め空間４１を設けたものである。この場合、滑り止め突起４３の開口側４０ａを回転体の回転方向先方（図６の矢印Ｙ方向）に向けて取り付けると、貝付きロープが滑り止め突起４３に係止し易くなる。Ｖ字状の滑り止め突起４３は図６（ｂ）に示すように、裾に取り付け片４３ｂを備えており、この取り付け片４３ｂをビス、くぎ、接着剤などの固定具で胴体１６に固定することができる。
【００２５】
（洗浄装置の実施形態１）
本発明の洗浄装置の一例を図７に示す。この洗浄装置２は貝付きロープＬを搬送する無端コンベア式の搬送体６と、その上方に無端コンベア状の押し具７が対向して配置されて、両者の間に貝付きロープＬが通過可能な通路８（図７）が形成され、搬送体６の下方と押し具７の上方とに洗浄具１３が対向配置されて、通路を通過する被洗浄物に両洗浄具１３から高圧の洗浄液を噴射して洗浄するものである。
【００２６】
海中に向けて鉛直方向に吊り下げられている貝付きロープＬを洗浄のために引き上げる際は、図７のように船の上に洗浄装置２を設置し、漁業用回転体１を船の側面に取り付けて海上に付き出させ、漁業用回転体１の外周に貝付きロープＬを掛け、漁業用回転体１を回転させて貝付きロープＬを鉛直方向から水平方向へ方向転換して海中から連続的に引き上げ、引き上げた貝付きロープＬを前記通路８に引き込みながら洗浄する。
【００２７】
搬送体６は図７に示すように搬送体駆動機構の外周に金属製の網状走行体２２ａを巻き付けて回転可能としてある。搬送体駆動機構は駆動軸２３の軸方向両端寄りと中央に駆動スプロケット９ａが固定された駆動回転体と、従動軸２４の軸方向両端寄りと中央に従動スプロケット９ｂが回転可能に取り付けられた従動回転体と、これら両回転体の間に配置された走行体ガイド２５とから構成されている。従動スプロケット９ｂの径は駆動スプロケット９ａの径よりも小さくしてある。走行体ガイド２５は底板のない長方形の箱状であり、上板の中央部に開口部が設けられている。前記網状走行体２２ａには図３（ａ）に示す波状網１９を使用するのが望ましい。
【００２８】
網状走行体２２ａの下にはローラ状の底面支持具１１を配置して網状走行体２２ａの底面を上方に押し上げて網状走行体２２ａに張りをもたせる（テンションを付与する）と共に当該底面が下方へ垂れ下がるのを防止してある。
【００２９】
図７の搬送体６は、駆動スプロケット９ａをモータ等の駆動源により回転させると駆動軸２３が回転し、駆動軸２３と共に駆動スプロケット９ｂも回転し、その回転に伴って従動軸２４が回転し、網状走行体２２ａが駆動スプロケット９ｂと走行体ガイド２５と従動スプロケット９ｂの外周を走行回転するようにしてある。
【００３０】
搬送体６は図１（ａ）のように筐体１４内に収容されている。この場合、図７の駆動軸２３を筐体１４内の下部前方に回転可能に取り付け、従動軸２４を同筐体１４内の下部後方に固定する。走行体ガイド２５は筐体１４内の下部で且つ前記駆動軸２３と従動軸２４との間にビスやボルト、ナット等の止め具により固定されている。
【００３１】
図７の押し具７も搬送体６と略同様の構造であり、押し具駆動機構の外周に金属製の網状の網状走行体２２ｂを巻き付けて回転可能としてある。その駆動機構は駆動軸３１に駆動スプロケット７ａ（図９）が取り付けられ、前方従動軸１２ａに前方従動スプロケット７ｂ（図９）が回転可能に取り付けられた前方駆動回転体と、後方従動軸１２ｂに後方従動スプロケット７ｃ（図９）が回転可能に取り付けられた後方従動回転体とが、二枚平行に配置されている側板３０（図７）間に回転可能に取り付けられている。二枚の平行な側板３０間には補強材が渡されている。前記網状走行体２２ｂにも図３（ａ）に示す波状網１９を使用するのが望ましい。網状走行体２２ｂの上走行部２２ｃ（図９）は押しローラ３９により屈曲部４０側に押されている。押し具７は入り口側が持ち上がって、貝付きロープＬを搬送体６との間の通路に引き込み易くしてある。
【００３２】
図７の押し具７は、前記駆動軸３１に連結された駆動スプロケット７ａがモータ等の駆動源により回転駆動されると網状走行体２２ｂが回転し、それにつれて前記前方従動スプロケット７ｂ（（図９（ａ））及び後方従動スプロケット７ｃ（図９（ａ））が回転し、網状走行体２２ｂが連続回転する。押し具７も筐体１４内に収容されている。
【００３３】
図７に示す洗浄具１３は搬送体６と押し具７との間の通路８を通過する貝付きロープＬに高圧洗浄液を噴射して洗浄するためのものであり、搬送体６の外側下方と押し具７の外側上方とに対向させて配置してある。この洗浄具１３は回転可能なロータリージョイントに連結された給水パイプ１３ａから４本の分岐パイプ１３ｂが分岐され、その先端に噴射ノズルが取り付けられており、給水パイプ１３ａが回転すると分岐パイプ１３ｂ及び噴射ノズルが回転して、被洗浄物に万遍なく洗浄液が高圧で噴射されるようにしてある。分岐パイプ１３ｂの本数は４本以上であっても以下であってもよい。洗浄具１３は貝付きロープＬを洗浄できれば、図８（ａ）、（ｂ）のように配置するとか他の配置とすることもできる。
【００３４】
筐体１４の下半分は、筐体１４内で被洗浄物を洗浄した汚水や洗浄によって被洗浄物から落下した付着物等を回収する回収容器を兼ねており、筐体１４の底からは排水路１５を外部に突設して、それに排水用のホースを接続して、洗浄除去された汚れや洗浄具１３から噴射された高圧洗浄液がその排水路１５から排水ホース内を通って外部に排出されるようにしてある。
【００３５】
筐体１４には貝付きロープＬを導入するための入口３４と、被洗浄物を送り出す出口３５とが開口されており（図１）、更に、筐体１４の側面には貝付きロープＬを横から搬送体６と押し具７との間に出し入れするための側面導入口３３が開口され、それが筐体１４の入口３４と出口３５に連通している。この側面導入口３３があると貝付きロープＬを洗浄作業の前に側面導入口３３から横スライドさせて引き込んで搬送体６と押し具７との間の通路８内に出し入れすることができるため、一々入口３４から出口３５に通す必要がなく、洗浄作業開始前の被洗浄物のセッティングが容易になる。図１（ｂ）に示すように、側面導入口３３の外側には多数本の樹脂製の繊維状のカーテン材を縦に配列した洗浄液飛散防止具３６を設けて、洗浄具１３から高圧噴射される洗浄液が側面導入口から外側に飛散しないようにしてある。この洗浄液飛散防止具３６は貝付きロープＬを側面導入口部３３の外側から筐体１４内に横スライドさせて引き込むときに内側に曲がって貝付きロープＬがスムースに引き込まれ、引き込んだ後に自動的に復帰できる可撓性と復元性を備えたものが好ましい。図１（ｂ）の洗浄液飛散防止具３６はそれ以外の形状、構造であってもよい。例えばゴムシートや金属板などであってもよく、金属板の場合は貝付きロープＬを側面導入口部３３の外から筐体１４内に横スライドさせて引き込むと上昇して貝付きロープＬがスムースに筐体１４内に入り、引き込み後は降下するようにしてもよい。洗浄液飛散防止具３６は場合によって外すこともできる。
【００３６】
図７に示すように、搬送体６と押し具７の間の通路８の出口よりも外側には、出口から送り出される貝付きロープＬを案内する出口側案内体２６が配置されている。この出口側案内体２６はポール状の横案内体２６ａとポール状の縦案内体２６ｂとからなり、縦案内体２６ｂは樋状のシュータ２６ｃの上に立設されている。この縦案内体２６ｂはシュータ２６ｃに回転可能に取り付けてもよく、回転しないように固定してもよい。シュータ２６ｃは先端側を下り傾斜にしてある。搬送体６の出口とシュータ２６ｃとの間には回収受け具２６ｄを配置してある、この回収受け具２６ｄは洗浄中に吊下げロープ３から外れた貝類４が搬送体６の出口から落下する位置に配置して、その貝類４を回収できるようにしてある。この回収受け具２６ｄも樋状であり、先端に向けて下り傾斜にして、回収された貝類４が自重で自動的に先端方向に落下して、その先に配置してある回収篭に落下して回収されるようにしてある。これらの出口側案内体２６、シュータ２６ｃ、回収受け具２６ｄも筐体１４に取り付けられている。この場合、出口側案内体２６、シュータ２６ｃ、回収受け具２６ｄは筐体１４の出口よりも外側先方に取り付けて、洗浄装置２を船上に搭載固定したときに、シュータ２６ｃの出口が海上に突出するようにしてある。出口側案内体２６は横案内体２６ａと縦案内体２６ｂのいずれか一方だけであってもよい。縦案内体２６ａ、縦案内体２６ｂの取り付け箇所は、それらの機能が発揮される任意の位置に取り付けることができる。
【００３７】
前記横案内体２６ａや縦案内体２６ｂには前記した漁業用回転体１から鍔１７を取り外し、胴体１６の外径を細くしたものを縦向きにして使用することもできる。
【００３８】
洗浄装置２は図８（ａ）に示すように、図７の網状の押し具７に代えて櫛型押し具Ｆを備えたものとすることもできる。また、図８（ｂ）に示すように図７の網状の押し具７に代えて上部にも養殖・天然物を引き込み可能な搬送体６を備えたものとすることもできる。
【００３９】
図７の出口側案内体２６は図１０に示す様にすることもできる。この出口側案内体２６は縦案内体２６ｂを樋状のシュータ２６ｃの上に立設固定してある。この出口側案内体２６は上端部外周面に溝２６ｅが形成されており、この溝２６ｅにベルト３８を掛けてモータ等の駆動体からの動力により回転させることができるようにしてある。シュータ２６ｃにはその底板を下方に折り曲げて回収口３７（図１０）を形成して、洗浄中に貝付きロープＬから外れた貝類４がこの回収口３７から自重で落下し、その下に配置してある回収篭に回収されるようにしてある。出口側案内体２６、シュータ２６ｃは筐体１４の内側に取り付けることも外側に取り付けることもできる。外側に取り付ける場合は筐体１４の出口３５（図１（ａ））よりも外側に取り付けて、洗浄装置２を船上に搭載固定したときにシュータ２６ｃの出口が海上に突出して、シュータ２６ｃから送り出される貝付きロープＬが海中に投入されるようにするのがよい。
【００４０】
本願発明の漁業用回転体１は図１（ａ）のように筐体１４の外に取り付けて、洗浄装置２を船に搭載したときに船の側面から海上に突出して、海中の貝付きロープＬを引き上げ易くするのがよい。漁業用回転体１は筐体１４に取り付けずに筐体１４と別にして船の側壁に取り付けることもできる。いずれの場合も漁業用回転体１の回転速度は搬送体６の走行回転速度と同期させて、漁業用回転体１の回転により海中から引上げられる貝付きロープＬが搬送体６の入口にスムースに送り込まれるようにしてある。ちなみに、漁業用回転体１と搬送体６との回転が同期せずに、漁業用回転体１の回転速度が搬送体６の走行回転速度よりも速過ぎると貝付きロープＬの送り込み量が多くなって貝付きロープＬが搬送体６の手前に溜って絡まり、逆に、漁業用回転体１の回転速度が搬送体６の走行回転速度よりも遅過ぎると、搬送体６による貝付きロープＬの引き込みが速くなり過ぎてロープが切れるおそれがある。搬送体６と漁業用回転体１とを同期回転させるためには共通の駆動源で回転させるようにすればよい。
【００４１】
（使用例）
前記した実施形態の洗浄装置２を用いて吊下げ
養殖用の貝付きロープＬを洗浄するには例えば次の様にする。
１．本願発明の洗浄装置２を船舶に搭載して固定する。
２．貝付きロープＬの上端部を海中から引き上げて漁業用回転体１の外周に掛ける。
３．漁業用回転体１の外周に掛けた貝付きロープＬを筐体１４の側面に開口された側面導入口３３（図１）から搬送体６と押し具７との間の通路８（図７）に引き込んでセットする。
４．モータの駆動により漁業用回転体１、搬送体６、押し具７を同期回転させて、搬送体６と押し具７の間に挟まれている貝付きロープＬを筐体１４の出口３５側に搬送する。
５．前記搬送中に、上下の洗浄具１３から高圧洗浄液を噴射して貝付きロープＬを上下から洗浄して、貝付きロープＬの貝類４、吊下げロープ３に付着している雑物も除去する。
６．洗浄された貝付きロープＬは筐体１４の出口３５から送り出され、出口側案内体２６（図７）によりシュータ２６ｃでガイドされて海中に投入される。
７．前記搬送中或は洗浄中に吊下げロープ３から外れた貝類４は、シュータ２６ｃの底面に設けられた回収口３７から落下してその下方に配置されている籠などの回収容器に回収さる。
８．洗浄により除去された付着物及び洗浄後の汚水は筐体１４内に落下して自動的に回収され、筐体１４の底の排水路１５から筐体１４の外部に排出され、図示されていないフィルターで濾過する等して処理される。
【００４２】
前記使用例において、押し具７は搬送体６と押し具７との間の通路８を貝付きロープＬが通過しないとき（通常時）とか、図９（ａ）のように、ほぼ同じ厚さの貝が押し具７の屈曲部４０と通路８の出口３５側との両方を同時に通過するときは、押し具７の下走行部２２ｄは略水平になっているが、図９（ｂ）に示すように通路８の間隔（上下の間隔）よりも厚い貝付きロープＬが押し具７の屈曲部４０の下を通過すると、屈曲部４０が押し上げられて貝付きロープＬは屈曲部４０の下を円滑に通過する。貝付きロープＬが押し具７の出口側に来ると図９（ｃ）の様に出口側が押し上げられて貝付きロープＬがその下を円滑に通過する。
【００４３】
前記実施形態は養殖・天然物を海中から引き上げる場合に付いて説明したが洗浄済みの養殖・天然物を海中に投入する場合も利用できる。また、昆布とか他の海産物を海中から引き上げる場合も利用できる。本願発明の漁業用回転体は図１１に示すようなドラム型の洗浄装置に組み込むこともできる。
【符号の説明】
【００４４】
１    漁業用回転体
２    洗浄装置
３    吊下げロープ
４    貝類
５    係止ピン
６    搬送体
７    押し具
７ａ  （押し具７の）駆動スプロケット
７ｂ  （押し具７の）前方従動スプロケット
７ｃ  （押し具７の）後方従動スプロケット
８    通路
９ａ  （搬送体６の）駆動スプロケット
９ｂ  （搬送体６の）従動スプロケット
１１    底面支持具
１２ａ  前方従動軸
１２ｂ  後方従動軸
１３    洗浄具
１３ａ  給水パイプ
１３ｂ  分岐パイプ
１４    筐体
１５    排水路
１６    胴体
１７    鍔
１７ａ  細長材
１７ｂ  空間
１８ａ  滑り止め突起
１８ｂ  滑り止め空間
１９    波状網
１９ａ  細幅板
２０    波板
２０ｂ  上挿入孔
２０ｃ  下挿入孔
２１    連結軸
２２ａ  （搬送体６の）網状走行体
２２ｂ  （押し具７の）網状走行体
２２ｃ  （網状走行体２２ａの）上走行部
２２ｄ  （網状走行体２２ａの）下走行部
２３    （搬送体６の）駆動軸
２４    （搬送体６の）従動軸
２５    走行体ガイド
２６    出口側案内体
２６ａ  横案内体
２６ｂ  縦案内体
２６ｃ  シュータ
２６ｄ  回収受け具
２６ｅ  溝付きプーリー
３０    側板
３１    駆動軸
３３    側面導入口
３４    入口
３５    出口
３６    洗浄液飛散防止具
３７    回収口
３８    ベルト
３９    押しローラ
４０    屈曲部
４１    滑り止め空間
４２    薄板
４３    滑り止め突起
４３ａ  （滑り止め突起の）開口側
４３ｂ  取り付け片
Ｆ    櫛型押し具
Ｌ    貝付きロープ
【図１】
2011087489.tif 000003
【図２】
2011087489.tif 000004
【図３】
2011087489.tif 000005
【図４】
2011087489.tif 000006
【図５】
2011087489.tif 000007
【図６】
2011087489.tif 000008
【図７】
2011087489.tif 000009
【図８】
2011087489.tif 000010
【図９】
2011087489.tif 000011
【図１０】
2011087489.tif 000012
【図１１】
2011087489.tif 000013
【手続補正書】
【提出日】平成22年10月28日(2010.10.28)
【手続補正１】
【補正対象書類名】明細書
【補正対象項目名】全文
【補正方法】変更
【補正の内容】
【発明の詳細な説明】
【技術分野】
【０００１】
本願発明は、吊下げ養殖する帆立貝、あこや貝、牡蠣といった貝類を係止して海中に吊下げてある貝付きロープ、昆布や他の海産物（これらをまとめて「養殖・天然物」という。）を海中から引き上げるとき、又は引き上げ後に洗浄して海中に戻すとき、或いは新規に養殖物・天然物を海中に投入するときに、養殖・天然物を案内するのに適する漁業用回転体及びこれを備えた洗浄装置に関するものである。
【背景技術】
【０００２】
帆立貝、あこや貝、牡蠣等（以下、「貝類」という。）は、ロープに差し込んだ樹脂製の係止ピンやテグスを貝類に開けた孔に通し、貝の付いたロープを海中に吊下げて養殖する吊下げ養殖（帆立貝の養殖では耳吊り養殖といわれている。）という方法で養殖されることがある。
【０００３】
吊下げ養殖では貝類を海中に吊しておく間に貝表面にザラボヤ、ムラサキイガイ、海草、その他海中の生物や塵芥等（以下これらを「雑物」という。）が大量に付着する。雑物が付着すると貝の成長に好ましくないばかりでなく、体裁が悪くて出荷時に問題となるため、養殖の途中で貝を海から引上げて洗浄しているのが現状である。
【０００４】
吊下げ養殖中の貝類を洗浄するには海中に吊るしてある貝付きロープを引き上げている。このとき、貝付きロープをドラムなどの回転体の外周に回して海中から鉛直方向に引き上げ、回転体で水平方向に向きを変えて引き上げ、その貝付きロープを洗浄装置に引き込んで洗浄している。
【０００５】
本件出願人は、本願に先立って吊下げ養殖中の貝類を洗浄する洗浄装置を特許出願している（特許文献１）。この特許出願に係る洗浄装置も回転体を備えており、この回転体を通じて吊下げ養殖中の貝付きロープを引き上げ、洗浄装置内に引き込んで洗浄装置の洗浄通路を通過する間に貝類とロープの汚れを洗浄除去するものである。
【先行技術文献】
【特許文献】
【０００６】
【特許文献１】特開２００１−１９１０４１号公報
【発明の概要】
【発明が解決しようとする課題】
【０００７】
貝類を係止して海中に吊下げられた８ｍｍ径のロープの場合、その長さと取り付ける貝の枚数にもよるが、例えば、海中に投入後半年程度で貝及びロープにザラボヤなどが大量に付着して、見かけ上１００〜２００ｍｍの径となり、その重量も１本当たり３０〜５０ｋｇにもなることがある。このように重くなった貝付きロープを引き上げると、貝付きロープが回転体の胴体外周面でスリップしてスムースに引き上げられないとか、貝が回転体とこすれてロープから落下するといったことがある。このため、場合によっては、作業員が貝付きロープを洗浄装置の出口側に引いてスリップを防止していることもある。この場合は、ロープを引くために専属の作業員が必要になり、人件費増大の一因になる。
【０００８】
本願発明の課題は、養殖・天然物、特に、昆布等のように長い海産物や、雑物が大量に付着している貝付きロープ等の養殖・天然物を海中から引き上げるときに、それらがスリップせずに確実に引き上げられ、海中から引き上げて洗浄した養殖・天然物を海中に戻すとき、或いは新規に海中に吊るす貝付きロープ等を海中に投入するときに、それらがスリップせずに海中に送り込まれるようにする漁業用回転体と、この漁業用回転体を備えた洗浄装置を提供することにある。
【課題を解決するための手段】
【０００９】
本願発明の漁業用回転体の一つは、海中からの養殖・天然物の引き上げ、海中への養殖・天然物の送り出しに使用可能な漁業用回転体において、回転体の胴体に養殖・天然物を係止可能な滑り止め空間と滑り止め突起の双方又は滑り止め突起を備えたものである。滑り止め突起はブロック状、Ｖ字状、板状といった各種形状の突起であってもよく、それらを回転体の胴体に個々に取り付けたり、それら突起が形成されたシートや薄板を胴体に取り付けたりしたものであってもよい。一つの胴体に取り付ける滑り止め突起は同じ形状のものでも異なる形状のものもよい。いずれの場合も滑り止め突起だけでなく養殖・天然物が係止可能な滑り止め空間を備えたものがよい。
【００１０】
本願発明の漁業用回転体の一つは、海中からの養殖・天然物の引き上げ、海中への養殖・天然物の送り出しに使用可能な漁業用回転体において、回転体の胴体を滑り止め空間と滑り止め突起のあるフレームとしたものである。
【００１１】
本願発明の漁業用回転体の一つは、海中からの養殖・天然物の引き上げ、海中への養殖・天然物の送り出しに使用可能な漁業用回転体において、回転体の胴体が空間のあるフレームであり、そのフレームの外周に養殖・天然物が係止可能な滑り止め突起又は滑り止め突起と滑り止め空間を設けたものである。フレームに設けた滑り止め突起又は滑り止め突起と滑り止め空間が、細幅の長板を波形に曲げて貝付きロープを係止可能とした波板又はその波板を波形の高さ方向に多数本連続させて波状網としたものである。この場合、細幅の長板を波形に曲げるのではなく、細幅の短板を多数枚連結して波状に形成した波板や、それを波形の高さ方向に多数本連続させた波状網を胴体に取り付けることもできる。
【００１２】
本願発明の養殖・天然物洗浄装置は、養殖・天然物を回転体の外周に掛けて海中から引き上げるための回転体と海中に送り込むための回転体の双方又はいずれか一方と、養殖・天然物を海中から引き上げながら洗浄可能な洗浄部を備えた洗浄装置において、前記回転体として前記漁業用回転体を備えたものであり、洗浄装置は前記漁業用回転体の胴体の外周に掛けて海中から引き上げられる養殖・天然物を搬送する無端コンベア式の搬送体と、搬送中の養殖・天然物を上方から押さえる押し具と、養殖・天然物に洗浄液を噴射して養殖・天然物を洗浄する洗浄具を備えたものである。洗浄装置の筐体に養殖・天然物を導入するための入口と、入口から導入された養殖・天然物が通過する通路と、洗浄具で洗浄済みの養殖・天然物を送り出す出口と、側面導入口が開口され、側面導入口は養殖・天然物を筐体内の前記通路に出し入れできるように前記入口と出口と通路に連通して筐体の側面に設けることもできる。
【発明の効果】
【００１３】
本願発明の漁業用回転体は次のような効果がある。
（１）胴体が養殖・天然物とそれらに付着している雑物が係止可能な滑り止め空間と滑り止め突起の双方又は滑り止め突起を備えているので、ザラボヤなどの雑物が大量に付着した貝付きロープであっても、滑りやすい昆布であっても回転体の胴体表面でスリップすることなく確実に引き上げることができる。
（２）胴体が滑り止め空間と滑り止め突起を備えたフレームであるため、従前の胴体が筒状である回転体よりも軽量になる。また、貝付きロープに付着している雑物が引き上げ時に回転体上で落下しても、フレームの空間から抜け落ちるため、回転体を海上に突出するように船に装備しておけば、抜け落ちた雑物が海中に落下するため、船の中の汚れが減少する。
（３）滑り止め突起のほかに、滑り止め空間を設けたので、海中から引き上げられる養殖・天然物やそれらに付着している雑物が滑り止め空間内に落ち込んで（入り込んで）滑り止め突起に係止し易くなり、スリップの防止が一層確実になる。
【００１４】
本願発明の養殖・天然物洗浄装置は、前記効果のある漁業用回転体が装備されているので、漁業用回転体を介して引き上げた養殖・天然物が確実に洗浄装置内に引き込まれ、養殖・天然物を海中から引き上げながら連続的に効率良く洗浄作業することができる。
【図面の簡単な説明】
【００１５】
【図１】（ａ）は本願発明の漁業用回転体を備えた洗浄装置の一例を示す断面図、（ｂ）はその洗浄装置の外観図。
【図２】（ａ）は回転体の一例を示す斜視図、（ｂ）は（ａ）の回転体のフレーム外周に波状網を取り付けた本願発明の漁業用回転体の一例を示す斜視図。
【図３】（ａ）は本願発明の漁業用回転体に巻付けられる波状網の一例を示す平面図、（ｂ）は波状網の部分斜視図。
【図４】（ａ）は胴体に滑り止め突起を取り付けた本願発明の漁業用回転体の一例を示す斜視図、（ｂ）は（ａ）の漁業用回転体に取り付ける突起の説明図、（ｃ）は（ａ）の漁業用回転体の胴体に巻きつけられる突起付きシートの一例を示す説明図、（ｄ）は（ｃ）の突起付きシートのＸ−Ｘ断面図。
【図５】（ａ）は本願発明の漁業用回転体の胴体に巻きつけられる突条付きシートの他例を示す斜視図、（ｂ）は（ａ）の突条付きシートを図１（ａ）における胴体に巻きつけた状態の断面図。
【図６】（ａ）は胴体にＶ字状の滑り止め突起を取り付けた本願発明の漁業用回転体の例を示す斜視図、（ｂ）はＶ字状の滑り止め突起の斜視図。
【図７】本願発明の養殖・天然物洗浄装置の一例を示す分解説明図。
【図８】（ａ）は櫛型押し具を備えた洗浄装置を示す説明図、（ｂ）は上下に搬送体を備えた洗浄装置を示す説明図。
【図９】（ａ）〜（ｃ）は本願発明の養殖・天然物洗浄装置による洗浄時の貝と押し具の説明図。
【図１０】本願発明の養殖・天然物洗浄装置における洗浄済み貝付きロープの送り出し部分の説明図。
【図１１】本願発明の漁業用回転体を取り付けたドラム型洗浄装置の概要図。
【発明を実施するための形態】
【００１６】
（洗浄装置の概要）
本願発明の漁業用回転体及びその回転体を備えた養殖・天然物洗浄装置の第１の実施形態を図に基づいて説明する。本願発明の養殖・天然物洗浄装置は海中から引き上げた昆布や他の海産物の洗浄にも利用できるものであるが、図示した洗浄装置は海中から引き上げた貝付きロープＬを洗浄する場合の実施形態である。図１（ａ）は漁業用回転体１を備えた洗浄装置２を示す側面図であり、この洗浄装置２は船上に設置して、海中から引き上げた貝付きロープ（貝類４が係止されている吊下げロープ３）Ｌに付着している前記雑物を除去すると共に吊下げロープ３及び貝類４を洗浄する（以下、これら除去及び洗浄を合わせて「洗浄」という）。
【００１７】
吊下げ養殖とは、吊下げロープ（縦ロープ）３に間隔をあけて差し込んだ係止ピン５や吊下げロープ３に結んだテグスを貝類４に開けた孔に通して貝類を係止し、吊下げロープ３を海中に吊下げることにより貝類４を海中に吊るして養殖する方法である。
【００１８】
（漁業用回転体の実施形態１）
漁業用回転体１の一例として図２（ａ）に示すものは、対向配置された２枚の鍔１７の間に金属製の棒、パイプといった細長材１７ａを数本、鍔１７の周方向に配置して胴体１６を空間１７ｂのあるフレームとしたものであり、細長材１７ａを養殖・天然物が係止可能な滑り止め突起とし、細長材間１７ａの空間１７ｂを養殖・天然物が係止可能な滑り止め空間としてある。胴体１６の形状は円筒状に限らず多角筒状とすることも可能であり、細長材も角棒、角パイプ、丸棒、丸パイプ、板材等とすることができる。鍔１７は省略することもできる。漁業用回転体１は中心軸を回転軸として図２（ａ）、（ｂ）の矢印Ｙ方向に回転可能であり、引き上げ装置の引張力による吊下げロープ３に伴って自由回転する構造とすることも、モータなどの駆動装置を備えて強制回転させる構造とすることもできる。漁業用回転体１自身が回転する構造とした場合はその回転を搬送体６（図７）の駆動スプロケット９ａ（図１（ａ））の回転と同期回転させると、漁業用回転体１で引き上げられた貝付きロープＬが通路８内にスムースに引き込まれる。本願発明の漁業用回転体１は、図２（ａ）の漁業用回転体１の胴体１６の外周に図２（ｂ）に示すように波状網１９を巻付けて固定したものとすることもできる。
【００１９】
（漁業用回転体の実施形態２）
漁業用回転体１の一例として図２（ｂ）に示すものは、図２（ａ）のように胴体１６を空間１８のあるフレームとし、そのフレームの外周に波状網１９を巻き付け、その波状網１９をスリップしないように胴体１６に溶接、針金、他の止め具、接着剤などで固定したものである。波状網１９は図３（ｂ）に示すように細幅板１９ａをコの字形に曲げて波の山の部分と谷の部分（いずれも貝付きロープＬが係止可能な滑り止め突起）１８ａと滑り止め空間１８ｂが繰り返し形成された波板２０が、山の高さＨ方向（谷の深さ方向でもある：図３（ａ））に多数列並べて連結されて網状にしてある。この滑り止め突起１８ａと滑り止め空間１８ｂの形状はコの字形に限らず、半円形としたり、三角形としたり、五角形とするなど任意の形状を選択できるうえ、板材のほか棒材やパイプ材、特に角棒や角パイプで成形することもできる。
【００２０】
図３（ｂ）に示すように波板２０の波山、波谷のコーナー部分には上挿入孔２０ｂが、下端部には下挿入孔２０ｃがそれぞれ設けられ、上側に配置された波板２０の下挿入孔２０ｃと、下側に配置された波板２０の上挿入孔２０ｂが重ねられて、下挿入孔２０ｃと上挿入孔２０ｂを連結軸２１が貫通して、上下に配置された波板２０が相互にピンで回転自由に連結されて網状になっている。このように波状網１９は、波板２０同士が回転自由に連結されているため、図２（ｂ）のように胴体１６の円筒形状に対しても追随して巻き付け可能となる。波状網１９を構成する波板２０及び連結軸２１は金属製や樹脂製等とすることができるが、金属製とする場合は海中使用するため防錆加工を施すかステンレス製とすることが望ましい。
【００２１】
従来の漁業用回転体の胴体１６では、ザラボヤなどの雑物が大量に付着した貝付きロープＬは胴体でスリップし、漁業用回転体１が空転することで貝付きロープＬを引き上げできない場合があったが、本願発明の漁業用回転体１は図３（ａ）に示す波状網１９が巻付け固定されており、波状網１９には波の山部による多数の滑り止め突起１８ａだけでなく、波の山部と谷部の間の滑り止め空間１８ｂもあるため、貝付きロープＬ、貝類４、それらに付着している雑物等がその滑り止め空間１８ｂ内に入って（落ち込んで）波状網１９の滑り止め突起１８ａに係止し易くなり、確実に引き上げ可能となる。
【００２２】
（漁業用回転体の実施形態３）
漁業用回転体の実施形態２として図４（ａ）に示すものはドラム状の胴体１６の外周面に図４（ｂ）に示すような滑り止め突起４３を千鳥配列で固定して滑り止め突起４３の間に滑り止め空間４１を設けてある。滑り止め突起４３はビス、釘、接着剤等の止め具で胴体１６や鍔１７に固定することができる。この滑り止め空間も貝付きロープＬ、貝類４、雑物等が落ち込んで、滑り止め突起４３に係止し易くするためのものである。
【００２３】
（漁業用回転体の実施形態４）
漁業用回転体１は図４（ｃ）に示すように多数の滑り止め突起４３が千鳥配列で突設されて滑り止め空間４１も形成されたシートや薄板４２を、図４（ａ）のように胴体１６の外周面に巻きつけて固定することもできる。図５に示すように多数本の滑り止め突起４３を細長に突設してそれらの間に滑り止め空間４１も形成したシートや薄板４２を図５（ｂ）のように胴体１６の外周面に巻きつけて固定することもできる。
【００２４】
（漁業用回転体の実施形態５）
漁業用回転体１は図６のようにＶ字状の滑り止め突起４０を胴体１６の外周面に千鳥配列で取り付けてそれら滑り止め突起４３の間に滑り止め空間４１を設けたものである。この場合、滑り止め突起４３の開口側４０ａを回転体の回転方向先方（図６の矢印Ｙ方向）に向けて取り付けると、貝付きロープが滑り止め突起４３に係止し易くなる。Ｖ字状の滑り止め突起４３は図６（ｂ）に示すように、裾に取り付け片４３ｂを備えており、この取り付け片４３ｂをビス、くぎ、接着剤などの固定具で胴体１６に固定することができる。
【００２５】
（養殖・天然物洗浄装置の実施形態１）
本発明の養殖・天然物洗浄装置の一例を図７に示す。この洗浄装置２は貝付きロープＬを搬送する無端コンベア式の搬送体６と、その上方に無端コンベア状の押し具７が対向して配置されて、両者の間に貝付きロープＬが通過可能な通路８（図７）が形成され、搬送体６の下方と押し具７の上方とに洗浄具１３が対向配置されて、通路を通過する被洗浄物に両洗浄具１３から高圧の洗浄液を噴射して洗浄するものである。
【００２６】
海中に向けて鉛直方向に吊り下げられている貝付きロープＬを洗浄のために引き上げる際は、図７のように船の上に洗浄装置２を設置し、漁業用回転体１を船の側面に取り付けて海上に付き出させ、漁業用回転体１の外周に貝付きロープＬを掛け、漁業用回転体１を回転させて貝付きロープＬを鉛直方向から水平方向へ方向転換して海中から連続的に引き上げ、引き上げた貝付きロープＬを前記通路８に引き込みながら洗浄する。
【００２７】
搬送体６は図７に示すように搬送体駆動機構の外周に金属製の網状走行体２２ａを巻き付けて回転可能としてある。搬送体駆動機構は駆動軸２３の軸方向両端寄りと中央に駆動スプロケット９ａが固定された駆動回転体と、従動軸２４の軸方向両端寄りと中央に従動スプロケット９ｂが回転可能に取り付けられた従動回転体と、これら両回転体の間に配置された走行体ガイド２５とから構成されている。従動スプロケット９ｂの径は駆動スプロケット９ａの径よりも小さくしてある。走行体ガイド２５は底板のない長方形の箱状であり、上板の中央部に開口部が設けられている。前記網状走行体２２ａには図３（ａ）に示す波状網１９を使用するのが望ましい。
【００２８】
網状走行体２２ａの下にはローラ状の底面支持具１１を配置して網状走行体２２ａの底面を上方に押し上げて網状走行体２２ａに張りをもたせる（テンションを付与する）と共に当該底面が下方へ垂れ下がるのを防止してある。
【００２９】
図７の搬送体６は、駆動スプロケット９ａをモータ等の駆動源により回転させると駆動軸２３が回転し、駆動軸２３と共に駆動スプロケット９ｂも回転し、その回転に伴って従動軸２４が回転し、網状走行体２２ａが駆動スプロケット９ｂと走行体ガイド２５と従動スプロケット９ｂの外周を走行回転するようにしてある。
【００３０】
搬送体６は図１（ａ）のように筐体１４内に収容されている。この場合、図７の駆動軸２３を筐体１４内の下部前方に回転可能に取り付け、従動軸２４を同筐体１４内の下部後方に固定する。走行体ガイド２５は筐体１４内の下部で且つ前記駆動軸２３と従動軸２４との間にビスやボルト、ナット等の止め具により固定されている。
【００３１】
図７の押し具７も搬送体６と略同様の構造であり、押し具駆動機構の外周に金属製の網状の網状走行体２２ｂを巻き付けて回転可能としてある。その駆動機構は駆動軸３１に駆動スプロケット７ａ（図９）が取り付けられ、前方従動軸１２ａに前方従動スプロケット７ｂ（図９）が回転可能に取り付けられた前方駆動回転体と、後方従動軸１２ｂに後方従動スプロケット７ｃ（図９）が回転可能に取り付けられた後方従動回転体とが、二枚平行に配置されている側板３０（図７）間に回転可能に取り付けられている。二枚の平行な側板３０間には補強材が渡されている。前記網状走行体２２ｂにも図３（ａ）に示す波状網１９を使用するのが望ましい。網状走行体２２ｂの上走行部２２ｃ（図９）は押しローラ３９により屈曲部４０側に押されている。押し具７は入り口側が持ち上がって、貝付きロープＬを搬送体６との間の通路に引き込み易くしてある。
【００３２】
図７の押し具７は、前記駆動軸３１に連結された駆動スプロケット７ａがモータ等の駆動源により回転駆動されると網状走行体２２ｂが回転し、それにつれて前記前方従動スプロケット７ｂ（（図９（ａ））及び後方従動スプロケット７ｃ（図９（ａ））が回転し、網状走行体２２ｂが連続回転する。押し具７も筐体１４内に収容されている。
【００３３】
図７に示す洗浄具１３は搬送体６と押し具７との間の通路８を通過する貝付きロープＬに高圧洗浄液を噴射して洗浄するためのものであり、搬送体６の外側下方と押し具７の外側上方とに対向させて配置してある。この洗浄具１３は回転可能なロータリージョイントに連結された給水パイプ１３ａから４本の分岐パイプ１３ｂが分岐され、その先端に噴射ノズルが取り付けられており、給水パイプ１３ａが回転すると分岐パイプ１３ｂ及び噴射ノズルが回転して、被洗浄物に万遍なく洗浄液が高圧で噴射されるようにしてある。分岐パイプ１３ｂの本数は４本以上であっても以下であってもよい。洗浄具１３は貝付きロープＬを洗浄できれば、図８（ａ）、（ｂ）のように配置するとか他の配置とすることもできる。
【００３４】
筐体１４の下半分は、筐体１４内で被洗浄物を洗浄した汚水や洗浄によって被洗浄物から落下した付着物等を回収する回収容器を兼ねており、筐体１４の底からは排水路１５を外部に突設して、それに排水用のホースを接続して、洗浄除去された汚れや洗浄具１３から噴射された高圧洗浄液がその排水路１５から排水ホース内を通って外部に排出されるようにしてある。
【００３５】
筐体１４には貝付きロープＬを導入するための入口３４と、被洗浄物を送り出す出口３５とが開口されており（図１）、更に、筐体１４の側面には貝付きロープＬを横から搬送体６と押し具７との間に出し入れするための側面導入口３３が開口され、それが筐体１４の入口３４と出口３５に連通している。この側面導入口３３があると貝付きロープＬを洗浄作業の前に側面導入口３３から横スライドさせて引き込んで搬送体６と押し具７との間の通路８内に出し入れすることができるため、一々入口３４から出口３５に通す必要がなく、洗浄作業開始前の被洗浄物のセッティングが容易になる。図１（ｂ）に示すように、側面導入口３３の外側には多数本の樹脂製の繊維状のカーテン材を縦に配列した洗浄液飛散防止具３６を設けて、洗浄具１３から高圧噴射される洗浄液が側面導入口から外側に飛散しないようにしてある。この洗浄液飛散防止具３６は貝付きロープＬを側面導入口部３３の外側から筐体１４内に横スライドさせて引き込むときに内側に曲がって貝付きロープＬがスムースに引き込まれ、引き込んだ後に自動的に復帰できる可撓性と復元性を備えたものが好ましい。図１（ｂ）の洗浄液飛散防止具３６はそれ以外の形状、構造であってもよい。例えばゴムシートや金属板などであってもよく、金属板の場合は貝付きロープＬを側面導入口部３３の外から筐体１４内に横スライドさせて引き込むと上昇して貝付きロープＬがスムースに筐体１４内に入り、引き込み後は降下するようにしてもよい。洗浄液飛散防止具３６は場合によって外すこともできる。
【００３６】
図７に示すように、搬送体６と押し具７の間の通路８の出口よりも外側には、出口から送り出される貝付きロープＬを案内する出口側案内体２６が配置されている。この出口側案内体２６はポール状の横案内体２６ａとポール状の縦案内体２６ｂとからなり、縦案内体２６ｂは樋状のシュータ２６ｃの上に立設されている。この縦案内体２６ｂはシュータ２６ｃに回転可能に取り付けてもよく、回転しないように固定してもよい。シュータ２６ｃは先端側を下り傾斜にしてある。搬送体６の出口とシュータ２６ｃとの間には回収受け具２６ｄを配置してある、この回収受け具２６ｄは洗浄中に吊下げロープ３から外れた貝類４が搬送体６の出口から落下する位置に配置して、その貝類４を回収できるようにしてある。この回収受け具２６ｄも樋状であり、先端に向けて下り傾斜にして、回収された貝類４が自重で自動的に先端方向に落下して、その先に配置してある回収篭に落下して回収されるようにしてある。これらの出口側案内体２６、シュータ２６ｃ、回収受け具２６ｄも筐体１４に取り付けられている。この場合、出口側案内体２６、シュータ２６ｃ、回収受け具２６ｄは筐体１４の出口よりも外側先方に取り付けて、洗浄装置２を船上に搭載固定したときに、シュータ２６ｃの出口が海上に突出するようにしてある。出口側案内体２６は横案内体２６ａと縦案内体２６ｂのいずれか一方だけであってもよい。縦案内体２６ａ、縦案内体２６ｂの取り付け箇所は、それらの機能が発揮される任意の位置に取り付けることができる。
【００３７】
前記横案内体２６ａや縦案内体２６ｂには前記した漁業用回転体１から鍔１７を取り外し、胴体１６の外径を細くしたものを縦向きにして使用することもできる。
【００３８】
洗浄装置２は図８（ａ）に示すように、図７の網状の押し具７に代えて櫛型押し具Ｆを備えたものとすることもできる。また、図８（ｂ）に示すように図７の網状の押し具７に代えて上部にも養殖・天然物を引き込み可能な搬送体６を備えたものとすることもできる。
【００３９】
図７の出口側案内体２６は図１０に示す様にすることもできる。この出口側案内体２６は縦案内体２６ｂを樋状のシュータ２６ｃの上に立設固定してある。この出口側案内体２６は上端部外周面に溝２６ｅが形成されており、この溝２６ｅにベルト３８を掛けてモータ等の駆動体からの動力により回転させることができるようにしてある。シュータ２６ｃにはその底板を下方に折り曲げて回収口３７（図１０）を形成して、洗浄中に貝付きロープＬから外れた貝類４がこの回収口３７から自重で落下し、その下に配置してある回収篭に回収されるようにしてある。出口側案内体２６、シュータ２６ｃは筐体１４の内側に取り付けることも外側に取り付けることもできる。外側に取り付ける場合は筐体１４の出口３５（図１（ａ））よりも外側に取り付けて、洗浄装置２を船上に搭載固定したときにシュータ２６ｃの出口が海上に突出して、シュータ２６ｃから送り出される貝付きロープＬが海中に投入されるようにするのがよい。
【００４０】
本願発明の漁業用回転体１は図１（ａ）のように筐体１４の外に取り付けて、洗浄装置２を船に搭載したときに船の側面から海上に突出して、海中の貝付きロープＬを引き上げ易くするのがよい。漁業用回転体１は筐体１４に取り付けずに筐体１４と別にして船の側壁に取り付けることもできる。いずれの場合も漁業用回転体１の回転速度は搬送体６の走行回転速度と同期させて、漁業用回転体１の回転により海中から引上げられる貝付きロープＬが搬送体６の入口にスムースに送り込まれるようにしてある。ちなみに、漁業用回転体１と搬送体６との回転が同期せずに、漁業用回転体１の回転速度が搬送体６の走行回転速度よりも速過ぎると貝付きロープＬの送り込み量が多くなって貝付きロープＬが搬送体６の手前に溜って絡まり、逆に、漁業用回転体１の回転速度が搬送体６の走行回転速度よりも遅過ぎると、搬送体６による貝付きロープＬの引き込みが速くなり過ぎてロープが切れるおそれがある。搬送体６と漁業用回転体１とを同期回転させるためには共通の駆動源で回転させるようにすればよい。
【００４１】
（使用例）
前記した実施形態の洗浄装置２を用いて吊下げ養殖用の貝付きロープＬを洗浄するには例えば次の様にする。
１．本願発明の洗浄装置２を船舶に搭載して固定する。
２．貝付きロープＬの上端部を海中から引き上げて漁業用回転体１の外周に掛ける。
３．漁業用回転体１の外周に掛けた貝付きロープＬを筐体１４の側面に開口された側面導入口３３（図１）から搬送体６と押し具７との間の通路８（図７）に引き込んでセットする。
４．モータの駆動により漁業用回転体１、搬送体６、押し具７を同期回転させて、搬送体６と押し具７の間に挟まれている貝付きロープＬを筐体１４の出口３５側に搬送する。
５．前記搬送中に、上下の洗浄具１３から高圧洗浄液を噴射して貝付きロープＬを上下から洗浄して、貝付きロープＬの貝類４、吊下げロープ３に付着している雑物も除去する。
６．洗浄された貝付きロープＬは筐体１４の出口３５から送り出され、出口側案内体２６（図７）によりシュータ２６ｃでガイドされて海中に投入される。
７．前記搬送中或は洗浄中に吊下げロープ３から外れた貝類４は、シュータ２６ｃの底面に設けられた回収口３７から落下してその下方に配置されている籠などの回収容器に回収さる。
８．洗浄により除去された付着物及び洗浄後の汚水は筐体１４内に落下して自動的に回収され、筐体１４の底の排水路１５から筐体１４の外部に排出され、図示されていないフィルターで濾過する等して処理される。
【００４２】
前記使用例において、押し具７は搬送体６と押し具７との間の通路８を貝付きロープＬが通過しないとき（通常時）とか、図９（ａ）のように、ほぼ同じ厚さの貝が押し具７の屈曲部４０と通路８の出口３５側との両方を同時に通過するときは、押し具７の下走行部２２ｄは略水平になっているが、図９（ｂ）に示すように通路８の間隔（上下の間隔）よりも厚い貝付きロープＬが押し具７の屈曲部４０の下を通過すると、屈曲部４０が押し上げられて貝付きロープＬは屈曲部４０の下を円滑に通過する。貝付きロープＬが押し具７の出口側に来ると図９（ｃ）の様に出口側が押し上げられて貝付きロープＬがその下を円滑に通過する。
【００４３】
前記実施形態は養殖・天然物を海中から引き上げる場合に付いて説明したが洗浄済みの養殖・天然物を海中に投入する場合も利用できる。また、昆布とか他の海産物を海中から引き上げる場合も利用できる。本願発明の漁業用回転体は図１１に示すようなドラム型の洗浄装置に組み込むこともできる。
【符号の説明】
【００４４】
１    漁業用回転体
２    洗浄装置
３    吊下げロープ
４    貝類
５    係止ピン
６    搬送体
７    押し具
７ａ  （押し具７の）駆動スプロケット
７ｂ  （押し具７の）前方従動スプロケット
７ｃ  （押し具７の）後方従動スプロケット
８    通路
９ａ  （搬送体６の）駆動スプロケット
９ｂ  （搬送体６の）従動スプロケット
１１    底面支持具
１２ａ  前方従動軸
１２ｂ  後方従動軸
１３    洗浄具
１３ａ  給水パイプ
１３ｂ  分岐パイプ
１４    筐体
１５    排水路
１６    胴体
１７    鍔
１７ａ  細長材
１７ｂ  空間
１８ａ  滑り止め突起
１８ｂ  滑り止め空間
１９    波状網
１９ａ  細幅板
２０    波板
２０ｂ  上挿入孔
２０ｃ  下挿入孔
２１    連結軸
２２ａ  （搬送体６の）網状走行体
２２ｂ  （押し具７の）網状走行体
２２ｃ  （網状走行体２２ａの）上走行部
２２ｄ  （網状走行体２２ａの）下走行部
２３    （搬送体６の）駆動軸
２４    （搬送体６の）従動軸
２５    走行体ガイド
２６    出口側案内体
２６ａ  横案内体
２６ｂ  縦案内体
２６ｃ  シュータ
２６ｄ  回収受け具
２６ｅ  溝付きプーリー
３０    側板
３１    駆動軸
３３    側面導入口
３４    入口
３５    出口
３６    洗浄液飛散防止具
３７    回収口
３８    ベルト
３９    押しローラ
４０    屈曲部
４１    滑り止め空間
４２    薄板
４３    滑り止め突起
４３ａ  （滑り止め突起の）開口側
４３ｂ  取り付け片
Ｆ    櫛型押し具
Ｌ    貝付きロープ
【手続補正２】
【補正対象書類名】特許請求の範囲
【補正対象項目名】全文
【補正方法】変更
【補正の内容】
【特許請求の範囲】
【請求項１】
海中からの養殖・天然物の引き上げ、海中への養殖・天然物の送り出しに使用可能な漁業用回転体において、
回転体の胴体に養殖・天然物が係止可能な滑り止め空間と滑り止め突起の双方又は滑り止め突起を設けたことを特徴とする漁業用回転体。
【請求項２】
請求項１記載の漁業用回転体において、滑り止め突起がブロック状、Ｖ字状、板状といった各種形状の突起であり、それらが回転体の胴体に取り付けられ、一つの胴体に取り付けられる滑り止め突起が同じ形状であるか又は異なる形状であることを特徴とする漁業用回転体。
【請求項３】
請求項１記載の漁業用回転体において、滑り止め突起がシート又は薄板に形成されたブロック状、Ｖ字状、板状といった各種形状の突起であり、そのシート又は薄板を回転体の胴体に取り付けることにより、胴体に滑り止め突起を設けたことを特徴とする漁業用回転体。
【請求項４】
海中からの養殖・天然物の引き上げ、海中への養殖・天然物の送り出しに使用可能な漁業用回転体において、
回転体の胴体が、滑り止め空間と滑り止め突起のあるフレームであることを特徴とする漁業用回転体。
【請求項５】
海中からの養殖・天然物の引き上げ、海中への養殖・天然物の送り出しに使用可能な漁業用回転体において、
回転体の胴体が空間のあるフレームであり、そのフレームの外周に養殖・天然物が係止可能な滑り止め突起又は滑り止め突起と滑り止め空間を設けたことを特徴とする漁業用回転体。
【請求項６】
請求項５記載の漁業用回転体において、フレームに設けた滑り止め突起又は滑り止め突起と滑り止め空間が、細幅の長板を波形に曲げて貝付きロープを係止可能とした波板又はその波板を波形の高さ方向に多数本連続させた波状網であることを特徴とする漁業用回転体。
【請求項７】
請求項５記載の漁業用回転体において、フレームに設けた滑り止め突起又は滑り止め突起と滑り止め空間が、細幅の短板を多数枚連結して波状に形成した波板又はその波板を波形の高さ方向に多数本連続させて波状網であることを特徴とする漁業用回転体。
【請求項８】
養殖・天然物を回転体の外周に掛けて海中から引き上げるための回転体と海中に送り込むための回転体の双方又はいずれか一方と、養殖・天然物を海中から引き上げながら洗浄可能な洗浄部を備えた洗浄装置において、前記回転体が請求項１乃至請求項７のいずれかに記載の漁業用回転体であり、洗浄装置は前記漁業用回転体の胴体の外周に掛けて海中から引き上げられる養殖・天然物を搬送する無端コンベア式の搬送体と、搬送中の養殖・天然物を上方から押さえる押し具と、養殖・天然物に洗浄液を噴射して養殖・天然物を洗浄する洗浄具を備えたことを特徴とする養殖・天然物洗浄装置。
【請求項９】
請求項８記載の養殖・天然物洗浄装置において、洗浄装置の筐体に養殖・天然物を導入するための入口と、入口から導入された養殖・天然物が通過する通路と、洗浄具で洗浄済みの養殖・天然物を送り出す出口と、側面導入口が開口され、側面導入口は養殖・天然物を筐体内の前記通路に出し入れできるように前記入口と出口と通路に連通して筐体の側面に設けられたことを特徴とする養殖・天然物洗浄装置。
【手続補正書】
【提出日】平成23年1月24日(2011.1.24)
【手続補正１】
【補正対象書類名】明細書
【補正対象項目名】全文
【補正方法】変更
【補正の内容】
【発明の詳細な説明】
【技術分野】
【０００１】
本願発明は、吊下げ養殖する帆立貝、あこや貝、牡蠣といった貝類を係止して海中に吊下げてある貝付きロープ、昆布や他の海産物（これらをまとめて「養殖・天然物」という。）を海中から引き上げるとき、又は引き上げ後に洗浄して海中に戻すとき、或いは新規に養殖物・天然物を海中に投入するときに、養殖・天然物を案内するのに適する漁業用回転体を備えた洗浄装置に関するものである。
【背景技術】
【０００２】
帆立貝、あこや貝、牡蠣等（以下、「貝類」という。）は、ロープに差し込んだ樹脂製の係止ピンやテグスを貝類に開けた孔に通し、貝の付いたロープを海中に吊下げて養殖する吊下げ養殖（帆立貝の養殖では耳吊り養殖といわれている。）という方法で養殖されることがある。
【０００３】
吊下げ養殖では貝類を海中に吊しておく間に貝表面にザラボヤ、ムラサキイガイ、海草、その他海中の生物や塵芥等（以下これらを「雑物」という。）が大量に付着する。雑物が付着すると貝の成長に好ましくないばかりでなく、体裁が悪くて出荷時に問題となるため、養殖の途中で貝を海から引上げて洗浄しているのが現状である。
【０００４】
吊下げ養殖中の貝類を洗浄するには海中に吊るしてある貝付きロープを引き上げている。このとき、貝付きロープをドラムなどの回転体の外周に回して海中から鉛直方向に引き上げ、回転体で水平方向に向きを変えて引き上げ、その貝付きロープを洗浄装置に引き込んで洗浄している。
【０００５】
本件出願人は、本願に先立って吊下げ養殖中の貝類を洗浄する洗浄装置を特許出願している（特許文献１）。この特許出願に係る洗浄装置も回転体を備えており、この回転体を通じて吊下げ養殖中の貝付きロープを引き上げ、洗浄装置内に引き込んで洗浄装置の洗浄通路を通過する間に貝類とロープの汚れを洗浄除去するものである。
【先行技術文献】
【特許文献】
【０００６】
【特許文献１】特開２００１−１９１０４１号公報
【発明の概要】
【発明が解決しようとする課題】
【０００７】
貝類を係止して海中に吊下げられた８ｍｍ径のロープの場合、その長さと取り付ける貝の枚数にもよるが、例えば、海中に投入後半年程度で貝及びロープにザラボヤなどが大量に付着して、見かけ上１００〜２００ｍｍの径となり、その重量も１本当たり３０〜５０ｋｇにもなることがある。このように重くなった貝付きロープを引き上げると、貝付きロープが回転体の胴体外周面でスリップしてスムースに引き上げられないとか、貝が回転体とこすれてロープから落下するといったことがある。このため、場合によっては、作業員が貝付きロープを洗浄装置の出口側に引いてスリップを防止していることもある。この場合は、ロープを引くために専属の作業員が必要になり、人件費増大の一因になる。
【０００８】
本願発明の課題は、養殖・天然物、特に、昆布等のように長い海産物や、雑物が大量に付着している貝付きロープ等の養殖・天然物を海中から引き上げるときに、それらがスリップせずに確実に引き上げられ、海中から引き上げて洗浄した養殖・天然物を海中に戻すとき、或いは新規に海中に吊るす貝付きロープ等を海中に投入するときに、それらがスリップせずに海中に送り込まれるようにする漁業用回転体を備えた洗浄装置を提供することにある。
【課題を解決するための手段】
【０００９】
本願発明の養殖・天然物洗浄装置の一つは、養殖・天然物を係止した吊下げロープを外周に掛けて海中から引き上げるための漁業用回転体と、この吊下げロープを海中に送り込むための漁業用回転体の双方又はいずれか一方と、養殖・天然物を海中から引き上げながら洗浄可能な洗浄部を備えた洗浄装置において、前記漁業用回転体の胴体が二以上の滑り止め突起及び滑り止め空間を備え、一つの胴体が備える滑り止め突起は同じ形状であり、前記滑り止め突起は、胴体にその外側に、滑り止め空間を設けて取り付けられ、前記滑り止め空間は、雑物が付着した養殖・天然物が入り込んで養殖・天然物を滑り止め突起に係止し易くする空間であり、前記洗浄装置は、前記漁業用回転体の胴体の外周に掛けて海中から引き上げられる養殖・天然物を搬送する無端コンベア式の搬送体と、搬送中の養殖・天然物を上方から押さえる押し具と、養殖・天然物に洗浄液を噴射して養殖・天然物を洗浄する洗浄具を備えたものである。一つの胴体に取り付ける滑り止め突起は同じ形状のものでも異なる形状のものもよい。
【００１０】
本願発明の養殖・天然物洗浄装置の一つは、養殖・天然物を係止した吊下げロープを外周に掛けて海中から引き上げるための漁業用回転体と、この吊下げロープを海中に送り込むための漁業用回転体の双方又はいずれか一方と、養殖・天然物を海中から引き上げながら洗浄可能な洗浄部を備えた洗浄装置において、前記漁業用回転体の胴体が二以上の滑り止め突起及び滑り止め空間を備え、前記滑り止め突起は、胴体にその外側に、滑り止め空間を設けて取り付けられ、前記滑り止め空間は、前記滑り止め突起に設けられて、雑物が付着した養殖・天然物が入り込んで養殖・天然物を滑り止め突起に係止し易くする空間であり、前記洗浄装置は、前記漁業用回転体の胴体の外周に掛けて海中から引き上げられる養殖・天然物を搬送する無端コンベア式の搬送体と、搬送中の養殖・天然物を上方から押さえる押し具と、養殖・天然物に洗浄液を噴射して養殖・天然物を洗浄する洗浄具を備えたものである。滑り止め空間は、滑り止め突起間と滑り止め突起に設けられたものであってもよい。
【００１１】
本願発明の養殖・天然物洗浄装置の一つは、洗浄装置の筐体が養殖・天然物を導入するための入口と、搬送体と押し具の間に前記入口から導入された養殖・天然物が通過する通路と、洗浄具で洗浄済みの養殖・天然物を送り出す出口と、を備えたものである。滑り止め突起が形成されたシート又は薄板を回転体の胴体に取り付けることにより、胴体に滑り止め突起を設けることもできる。
【００１２】
本願発明の養殖・天然物洗浄装置の一つは、胴体が空間のあるフレームであり、そのフレームに滑り止め突起と滑り止め空間を設けたものである。胴体のフレームに、細幅長板を波形に曲げて山部と谷部を備えた波板を多数本取付け、その波板の山部を滑り止め突起とし、山部と谷部の間の空間を滑り止め空間とすることもできる。この場合、胴体のフレームに、細幅長板を波形に曲げて山部と谷部を備えた波板を山部方向に多数本連結した波状網を取付け、その波状網の山部を滑り止め突起とし、山部と谷部の間の空間を滑り止め空間とすることもできる。
【発明の効果】
【００１３】
本願発明の養殖・天然物洗浄装置の漁業用回転体は次のような効果がある。
（１）胴体が養殖・天然物とそれらに付着している雑物が係止可能な滑り止め空間と滑り止め突起の双方又は滑り止め突起を備えているので、ザラボヤなどの雑物が大量に付着した貝付きロープであっても、滑りやすい昆布であっても回転体の胴体表面でスリップすることなく確実に引き上げることができる。
（２）胴体が滑り止め空間と滑り止め突起を備えたフレームであるため、従前の胴体が筒状である回転体よりも軽量になる。また、貝付きロープに付着している雑物が引き上げ時に回転体上で落下しても、フレームの空間から抜け落ちるため、回転体を海上に突出するように船に装備しておけば、抜け落ちた雑物が海中に落下するため、船の中の汚れが減少する。
（３）滑り止め突起のほかに、滑り止め空間を設けたので、海中から引き上げられる養殖・天然物やそれらに付着している雑物が滑り止め空間内に落ち込んで（入り込んで）滑り止め突起に係止し易くなり、スリップの防止が一層確実になる。
【００１４】
本願発明の養殖・天然物洗浄装置は、前記効果のある漁業用回転体が装備されているので、漁業用回転体を介して引き上げた養殖・天然物が確実に洗浄装置内に引き込まれ、養殖・天然物を海中から引き上げながら連続的に効率良く洗浄作業することができる。
【図面の簡単な説明】
【００１５】
【図１】（ａ）は本願発明における漁業用回転体を備えた洗浄装置の一例を示す断面図、（ｂ）はその洗浄装置の外観図。
【図２】（ａ）は回転体の一例を示す斜視図、（ｂ）は（ａ）の回転体のフレーム外周に波状網を取り付けた本願発明における漁業用回転体の一例を示す斜視図。
【図３】（ａ）は本願発明における漁業用回転体に巻付けられる波状網の一例を示す平面図、（ｂ）は波状網の部分斜視図。
【図４】（ａ）は胴体に滑り止め突起を取り付けた本願発明における漁業用回転体の一例を示す斜視図、（ｂ）は（ａ）の漁業用回転体に取り付ける突起の説明図、（ｃ）は（ａ）の漁業用回転体の胴体に巻きつけられる突起付きシートの一例を示す説明図、（ｄ）は（ｃ）の突起付きシートのＸ−Ｘ断面図。
【図５】（ａ）は本願発明における漁業用回転体の胴体に巻きつけられる突条付きシートの他例を示す斜視図、（ｂ）は（ａ）の突条付きシートを図１（ａ）における胴体に巻きつけた状態の断面図。
【図６】（ａ）は胴体にＶ字状の滑り止め突起を取り付けた本願発明における漁業用回転体の例を示す斜視図、（ｂ）はＶ字状の滑り止め突起の斜視図。
【図７】本願発明の養殖・天然物洗浄装置の一例を示す分解説明図。
【図８】（ａ）は櫛型押し具を備えた洗浄装置を示す説明図、（ｂ）は上下に搬送体を備えた洗浄装置を示す説明図。
【図９】（ａ）〜（ｃ）は本願発明の養殖・天然物洗浄装置による洗浄時の貝と押し具の説明図。
【図１０】本願発明の養殖・天然物洗浄装置における洗浄済み貝付きロープの送り出し部分の説明図。
【図１１】本願発明における漁業用回転体を取り付けたドラム型洗浄装置の概要図。
【発明を実施するための形態】
【００１６】
（洗浄装置の概要）
本願発明における漁業用回転体及びその回転体を備えた養殖・天然物洗浄装置の第１の実施形態を図に基づいて説明する。本願発明の養殖・天然物洗浄装置は海中から引き上げた昆布や他の海産物の洗浄にも利用できるものであるが、図示した洗浄装置は海中から引き上げた貝付きロープＬを洗浄する場合の実施形態である。図１（ａ）は漁業用回転体１を備えた洗浄装置２を示す側面図であり、この洗浄装置２は船上に設置して、海中から引き上げた貝付きロープ（貝類４が係止されている吊下げロープ３）Ｌに付着している前記雑物を除去すると共に吊下げロープ３及び貝類４を洗浄する（以下、これら除去及び洗浄を合わせて「洗浄」という）。
【００１７】
吊下げ養殖とは、吊下げロープ（縦ロープ）３に間隔をあけて差し込んだ係止ピン５や吊下げロープ３に結んだテグスを貝類４に開けた孔に通して貝類を係止し、吊下げロープ３を海中に吊下げることにより貝類４を海中に吊るして養殖する方法である。
【００１８】
（本願発明における漁業用回転体の実施形態１）
漁業用回転体１の一例として図２（ａ）に示すものは、対向配置された２枚の鍔１７の間に金属製の棒、パイプといった細長材１７ａを数本、鍔１７の周方向に配置して胴体１６を空間１７ｂのあるフレームとしたものであり、細長材１７ａを養殖・天然物が係止可能な滑り止め突起とし、細長材間１７ａの空間１７ｂを養殖・天然物が係止可能な滑り止め空間としてある。胴体１６の形状は円筒状に限らず多角筒状とすることも可能であり、細長材も角棒、角パイプ、丸棒、丸パイプ、板材等とすることができる。鍔１７は省略することもできる。漁業用回転体１は中心軸を回転軸として図２（ａ）、（ｂ）の矢印Ｙ方向に回転可能であり、引き上げ装置の引張力による吊下げロープ３に伴って自由回転する構造とすることも、モータなどの駆動装置を備えて強制回転させる構造とすることもできる。漁業用回転体１自身が回転する構造とした場合はその回転を搬送体６（図７）の駆動スプロケット９ａ（図１（ａ））の回転と同期回転させると、漁業用回転体１で引き上げられた貝付きロープＬが通路８内にスムースに引き込まれる。本願発明における漁業用回転体１は、図２（ａ）の漁業用回転体１の胴体１６の外周に図２（ｂ）に示すように波状網１９を巻付けて固定したものとすることもできる。
【００１９】
（本願発明における漁業用回転体の実施形態２）
漁業用回転体１の一例として図２（ｂ）に示すものは、図２（ａ）のように胴体１６を空間１７ｂのあるフレームとし、そのフレームの外周に波状網１９を巻き付け、その波状網１９をスリップしないように胴体１６に溶接、針金、他の止め具、接着剤などで固定したものである。波状網１９は図３（ｂ）に示すように細幅板１９ａをコの字形に曲げて波の山の部分と谷の部分（いずれも貝付きロープＬが係止可能な滑り止め突起）１８ａと滑り止め空間１８ｂが繰り返し形成された波板２０が、山の高さＨ方向（谷の深さ方向でもある：図３（ａ））に多数列並べて連結されて網状にしてある。この滑り止め突起１８ａと滑り止め空間１８ｂの形状はコの字形に限らず、半円形としたり、三角形としたり、五角形とするなど任意の形状を選択できるうえ、板材のほか棒材やパイプ材、特に角棒や角パイプで成形することもできる。
【００２０】
図３（ｂ）に示すように波板２０の波山（山部）、波谷（谷部）のコーナー部分には上挿入孔２０ｂが、下端部には下挿入孔２０ｃがそれぞれ設けられ、上側に配置された波板２０の下挿入孔２０ｃと、下側に配置された波板２０の上挿入孔２０ｂが重ねられて、下挿入孔２０ｃと上挿入孔２０ｂを連結軸２１が貫通して、上下に配置された波板２０が相互にピンで回転自由に連結されて網状になっている。このように波状網１９は、波板２０同士が回転自由に連結されているため、図２（ｂ）のように胴体１６の円筒形状に対しても追随して巻き付け可能となる。波状網１９を構成する波板２０及び連結軸２１は金属製や樹脂製等とすることができるが、金属製とする場合は海中使用するため防錆加工を施すかステンレス製とすることが望ましい。
【００２１】
従来の漁業用回転体の胴体１６では、ザラボヤなどの雑物が大量に付着した貝付きロープＬは胴体でスリップし、漁業用回転体１が空転することで貝付きロープＬを引き上げできない場合があったが、本願発明における漁業用回転体１は図３（ａ）に示す波状網１９が巻付け固定されており、波状網１９には波の山部による多数の滑り止め突起１８ａだけでなく、波の山部と谷部の間の滑り止め空間１８ｂもあるため、貝付きロープＬ、貝類４、それらに付着している雑物等がその滑り止め空間１８ｂ内に入って（落ち込んで）波状網１９の滑り止め突起１８ａに係止し易くなり、確実に引き上げ可能となる。
【００２２】
（本願発明における漁業用回転体の実施形態３）
漁業用回転体の実施形態３として図４（ａ）に示すものはドラム状の胴体１６の外周面に図４（ｂ）に示すような滑り止め突起４３を千鳥配列で固定して滑り止め突起４３の間に滑り止め空間４１を設けてある。滑り止め突起４３はビス、釘、接着剤等の止め具で胴体１６や鍔１７に固定することができる。この滑り止め空間も貝付きロープＬ、貝類４、雑物等が落ち込んで、滑り止め突起４３に係止し易くするためのものである。
【００２３】
（本願発明における漁業用回転体の実施形態４）
漁業用回転体１は図４（ｃ）に示すように多数の滑り止め突起４３が千鳥配列で突設されて滑り止め空間４１も形成されたシートや薄板４２を、図４（ａ）のように胴体１６の外周面に巻きつけて固定することもできる。図５に示すように多数本の滑り止め突起４３を細長に突設してそれらの間に滑り止め空間４１も形成したシートや薄板４２を図５（ｂ）のように胴体１６の外周面に巻きつけて固定することもできる。
【００２４】
（本願発明における漁業用回転体の実施形態５）
漁業用回転体１は図６のようにＶ字状の滑り止め突起４３を胴体１６の外周面に千鳥配列で取り付けてそれら滑り止め突起４３の間に滑り止め空間４１を設けたものである。この場合、滑り止め突起４３の開口側空間４３ａを回転体の回転方向先方（図６の矢印Ｙ方向）に向けて取り付けると、その開口側空間４３ａも滑り止め空間４１となって、貝付きロープが滑り止め突起４３に係止し易くなる。Ｖ字状の滑り止め突起４３は図６（ｂ）に示すように、裾に取り付け片４３ｂを備えており、この取り付け片４３ｂをビス、くぎ、接着剤などの固定具で胴体１６に固定することができる。
【００２５】
（養殖・天然物洗浄装置の実施形態１）
本発明の養殖・天然物洗浄装置の一例を図７に示す。この洗浄装置２は貝付きロープＬを搬送する無端コンベア式の搬送体６と、その上方に無端コンベア状の押し具７が対向して配置されて、両者の間に貝付きロープＬが通過可能な通路８（図７）が形成され、搬送体６の下方と押し具７の上方とに洗浄具１３が対向配置されて、通路を通過する被洗浄物に両洗浄具１３から高圧の洗浄液を噴射して洗浄するものである。
【００２６】
海中に向けて鉛直方向に吊り下げられている貝付きロープＬを洗浄のために引き上げる際は、図７のように船の上に洗浄装置２を設置し、漁業用回転体１を船の側面に取り付けて海上に付き出させ、漁業用回転体１の外周に貝付きロープＬを掛け、漁業用回転体１を回転させて貝付きロープＬを鉛直方向から水平方向へ方向転換して海中から連続的に引き上げ、引き上げた貝付きロープＬを前記通路８に引き込みながら洗浄する。
【００２７】
搬送体６は図７に示すように搬送体駆動機構の外周に金属製の網状走行体２２ａを巻き付けて回転可能としてある。搬送体駆動機構は駆動軸２３の軸方向両端寄りと中央に駆動スプロケット９ａが固定された駆動回転体と、従動軸２４の軸方向両端寄りと中央に従動スプロケット９ｂが回転可能に取り付けられた従動回転体と、これら両回転体の間に配置された走行体ガイド２５とから構成されている。従動スプロケット９ｂの径は駆動スプロケット９ａの径よりも小さくしてある。走行体ガイド２５は底板のない長方形の箱状であり、上板の中央部に開口部が設けられている。前記網状走行体２２ａには図３（ａ）に示す波状網１９を使用するのが望ましい。
【００２８】
網状走行体２２ａの下にはローラ状の底面支持具１１を配置して網状走行体２２ａの底面を上方に押し上げて網状走行体２２ａに張りをもたせる（テンションを付与する）と共に当該底面が下方へ垂れ下がるのを防止してある。
【００２９】
図７の搬送体６は、駆動スプロケット９ａをモータ等の駆動源により回転させると駆動軸２３が回転し、駆動軸２３と共に駆動スプロケット９ｂも回転し、その回転に伴って従動軸２４が回転し、網状走行体２２ａが駆動スプロケット９ｂと走行体ガイド２５と従動スプロケット９ｂの外周を走行回転するようにしてある。
【００３０】
搬送体６は図１（ａ）のように筐体１４内に収容されている。この場合、図７の駆動軸２３を筐体１４内の下部前方に回転可能に取り付け、従動軸２４を同筐体１４内の下部後方に固定する。走行体ガイド２５は筐体１４内の下部で且つ前記駆動軸２３と従動軸２４との間にビスやボルト、ナット等の止め具により固定されている。
【００３１】
図７の押し具７も搬送体６と略同様の構造であり、押し具駆動機構の外周に金属製の網状の網状走行体２２ｂを巻き付けて回転可能としてある。その駆動機構は駆動軸３１に駆動スプロケット７ａ（図９）が取り付けられ、前方従動軸１２ａに前方従動スプロケット７ｂ（図９）が回転可能に取り付けられた前方駆動回転体と、後方従動軸１２ｂに後方従動スプロケット７ｃ（図９）が回転可能に取り付けられた後方従動回転体とが、二枚平行に配置されている側板３０（図７）間に回転可能に取り付けられている。二枚の平行な側板３０間には補強材が渡されている。前記網状走行体２２ｂにも図３（ａ）に示す波状網１９を使用するのが望ましい。網状走行体２２ｂの上走行部２２ｃ（図９）は押しローラ３９により屈曲部４０側に押されている。押し具７は入り口側が持ち上がって、貝付きロープＬを搬送体６との間の通路に引き込み易くしてある。
【００３２】
図７の押し具７は、前記駆動軸３１に連結された駆動スプロケット７ａがモータ等の駆動源により回転駆動されると網状走行体２２ｂが回転し、それにつれて前記前方従動スプロケット７ｂ（（図９（ａ））及び後方従動スプロケット７ｃ（図９（ａ））が回転し、網状走行体２２ｂが連続回転する。押し具７も筐体１４内に収容されている。
【００３３】
図７に示す洗浄具１３は搬送体６と押し具７との間の通路８を通過する貝付きロープＬに高圧洗浄液を噴射して洗浄するためのものであり、搬送体６の外側下方と押し具７の外側上方とに対向させて配置してある。この洗浄具１３は回転可能なロータリージョイントに連結された給水パイプ１３ａから４本の分岐パイプ１３ｂが分岐され、その先端に噴射ノズルが取り付けられており、給水パイプ１３ａが回転すると分岐パイプ１３ｂ及び噴射ノズルが回転して、被洗浄物に万遍なく洗浄液が高圧で噴射されるようにしてある。分岐パイプ１３ｂの本数は４本以上であっても以下であってもよい。洗浄具１３は貝付きロープＬを洗浄できれば、図８（ａ）、（ｂ）のように配置するとか他の配置とすることもできる。
【００３４】
筐体１４の下半分は、筐体１４内で被洗浄物を洗浄した汚水や洗浄によって被洗浄物から落下した付着物等を回収する回収容器を兼ねており、筐体１４の底からは排水路１５を外部に突設して、それに排水用のホースを接続して、洗浄除去された汚れや洗浄具１３から噴射された高圧洗浄液がその排水路１５から排水ホース内を通って外部に排出されるようにしてある。
【００３５】
筐体１４には貝付きロープＬを導入するための入口３４と、被洗浄物を送り出す出口３５とが開口されており（図１）、更に、筐体１４の側面には貝付きロープＬを横から搬送体６と押し具７との間に出し入れするための側面導入口３３が開口され、それが筐体１４の入口３４と出口３５に連通している。この側面導入口３３があると貝付きロープＬを洗浄作業の前に側面導入口３３から横スライドさせて引き込んで搬送体６と押し具７との間の通路８内に出し入れすることができるため、一々入口３４から出口３５に通す必要がなく、洗浄作業開始前の被洗浄物のセッティングが容易になる。図１（ｂ）に示すように、側面導入口３３の外側には多数本の樹脂製の繊維状のカーテン材を縦に配列した洗浄液飛散防止具３６を設けて、洗浄具１３から高圧噴射される洗浄液が側面導入口から外側に飛散しないようにしてある。この洗浄液飛散防止具３６は貝付きロープＬを側面導入口部３３の外側から筐体１４内に横スライドさせて引き込むときに内側に曲がって貝付きロープＬがスムースに引き込まれ、引き込んだ後に自動的に復帰できる可撓性と復元性を備えたものが好ましい。図１（ｂ）の洗浄液飛散防止具３６はそれ以外の形状、構造であってもよい。例えばゴムシートや金属板などであってもよく、金属板の場合は貝付きロープＬを側面導入口部３３の外から筐体１４内に横スライドさせて引き込むと上昇して貝付きロープＬがスムースに筐体１４内に入り、引き込み後は降下するようにしてもよい。洗浄液飛散防止具３６は場合によって外すこともできる。
【００３６】
図７に示すように、搬送体６と押し具７の間の通路８の出口よりも外側には、出口から送り出される貝付きロープＬを案内する出口側案内体２６が配置されている。この出口側案内体２６はポール状の横案内体２６ａとポール状の縦案内体２６ｂとからなり、縦案内体２６ｂは樋状のシュータ２６ｃの上に立設されている。この縦案内体２６ｂはシュータ２６ｃに回転可能に取り付けてもよく、回転しないように固定してもよい。シュータ２６ｃは先端側を下り傾斜にしてある。搬送体６の出口とシュータ２６ｃとの間には回収受け具２６ｄを配置してある。この回収受け具２６ｄは洗浄中に吊下げロープ３から外れた貝類４が搬送体６の出口から落下する位置に配置して、その貝類４を回収できるようにしてある。この回収受け具２６ｄも樋状であり、先端に向けて下り傾斜にして、回収された貝類４が自重で自動的に先端方向に落下して、その先に配置してある回収篭に落下して回収されるようにしてある。これらの出口側案内体２６、シュータ２６ｃ、回収受け具２６ｄも筐体１４に取り付けられている。この場合、出口側案内体２６、シュータ２６ｃ、回収受け具２６ｄは筐体１４の出口よりも外側先方に取り付けて、洗浄装置２を船上に搭載固定したときに、シュータ２６ｃの出口が海上に突出するようにしてある。出口側案内体２６は横案内体２６ａと縦案内体２６ｂのいずれか一方だけであってもよい。縦案内体２６ａ、縦案内体２６ｂの取り付け箇所は、それらの機能が発揮される任意の位置に取り付けることができる。
【００３７】
前記横案内体２６ａや縦案内体２６ｂには前記した漁業用回転体１から鍔１７を取り外し、胴体１６の外径を細くしたものを縦向きにして使用することもできる。
【００３８】
洗浄装置２は図８（ａ）に示すように、図７の網状の押し具７に代えて櫛型押し具Ｆを備えたものとすることもできる。また、図８（ｂ）に示すように図７の網状の押し具７に代えて上部にも養殖・天然物を引き込み可能な搬送体６を備えたものとすることもできる。
【００３９】
図７の出口側案内体２６は図１０に示す様にすることもできる。この出口側案内体２６は縦案内体２６ｂを樋状のシュータ２６ｃの上に立設固定してある。この出口側案内体２６は上端部外周面に溝２６ｅが形成されており、この溝２６ｅにベルト３８を掛けてモータ等の駆動体からの動力により回転させることができるようにしてある。シュータ２６ｃにはその底板を下方に折り曲げて回収口３７（図１０）を形成して、洗浄中に貝付きロープＬから外れた貝類４がこの回収口３７から自重で落下し、その下に配置してある回収篭に回収されるようにしてある。出口側案内体２６、シュータ２６ｃは筐体１４の内側に取り付けることも外側に取り付けることもできる。外側に取り付ける場合は筐体１４の出口３５（図１（ａ））よりも外側に取り付けて、洗浄装置２を船上に搭載固定したときにシュータ２６ｃの出口が海上に突出して、シュータ２６ｃから送り出される貝付きロープＬが海中に投入されるようにするのがよい。
【００４０】
本願発明における漁業用回転体１は図１（ａ）のように筐体１４の外に取り付けて、洗浄装置２を船に搭載したときに船の側面から海上に突出して、海中の貝付きロープＬを引き上げ易くするのがよい。漁業用回転体１は筐体１４に取り付けずに筐体１４と別にして船の側壁に取り付けることもできる。いずれの場合も漁業用回転体１の回転速度は搬送体６の走行回転速度と同期させて、漁業用回転体１の回転により海中から引上げられる貝付きロープＬが搬送体６の入口にスムースに送り込まれるようにしてある。ちなみに、漁業用回転体１と搬送体６との回転が同期せずに、漁業用回転体１の回転速度が搬送体６の走行回転速度よりも速過ぎると貝付きロープＬの送り込み量が多くなって貝付きロープＬが搬送体６の手前に溜って絡まり、逆に、漁業用回転体１の回転速度が搬送体６の走行回転速度よりも遅過ぎると、搬送体６による貝付きロープＬの引き込みが速くなり過ぎてロープが切れるおそれがある。搬送体６と漁業用回転体１とを同期回転させるためには共通の駆動源で回転させるようにすればよい。
【００４１】
（使用例）
前記した実施形態の洗浄装置２を用いて吊下げ養殖用の貝付きロープＬを洗浄するには例えば次の様にする。
１．本願発明の洗浄装置２を船舶に搭載して固定する。
２．貝付きロープＬの上端部を海中から引き上げて漁業用回転体１の外周に掛ける。
３．漁業用回転体１の外周に掛けた貝付きロープＬを筐体１４の側面に開口された側面導入口３３（図１）から搬送体６と押し具７との間の通路８（図７）に引き込んでセットする。
４．モータの駆動により漁業用回転体１、搬送体６、押し具７を同期回転させて、搬送体６と押し具７の間に挟まれている貝付きロープＬを筐体１４の出口３５側に搬送する。
５．前記搬送中に、上下の洗浄具１３から高圧洗浄液を噴射して貝付きロープＬを上下から洗浄して、貝付きロープＬの貝類４、吊下げロープ３に付着している雑物も除去する。
６．洗浄された貝付きロープＬは筐体１４の出口３５から送り出され、出口側案内体２６（図７）によりシュータ２６ｃでガイドされて海中に投入される。
７．前記搬送中或は洗浄中に吊下げロープ３から外れた貝類４は、シュータ２６ｃの底面に設けられた回収口３７から落下してその下方に配置されている籠などの回収容器に回収さる。
８．洗浄により除去された付着物及び洗浄後の汚水は筐体１４内に落下して自動的に回収され、筐体１４の底の排水路１５から筐体１４の外部に排出され、図示されていないフィルターで濾過する等して処理される。
【００４２】
前記使用例において、押し具７は搬送体６と押し具７との間の通路８を貝付きロープＬが通過しないとき（通常時）とか、図９（ａ）のように、ほぼ同じ厚さの貝が押し具７の屈曲部４０と通路８の出口３５側との両方を同時に通過するときは、押し具７の下走行部２２ｄは略水平になっているが、図９（ｂ）に示すように通路８の間隔（上下の間隔）よりも厚い貝付きロープＬが押し具７の屈曲部４０の下を通過すると、屈曲部４０が押し上げられて貝付きロープＬは屈曲部４０の下を円滑に通過する。貝付きロープＬが押し具７の出口側に来ると図９（ｃ）の様に出口側が押し上げられて貝付きロープＬがその下を円滑に通過する。
【００４３】
前記実施形態は養殖・天然物を海中から引き上げる場合に付いて説明したが洗浄済みの養殖・天然物を海中に投入する場合も利用できる。また、昆布とか他の海産物を海中から引き上げる場合も利用できる。本願発明における漁業用回転体は図１１に示すようなドラム型の洗浄装置に組み込むこともできる。
【符号の説明】
【００４４】
１    漁業用回転体
２    洗浄装置
３    吊下げロープ
４    貝類
５    係止ピン
６    搬送体
７    押し具
７ａ  （押し具７の）駆動スプロケット
７ｂ  （押し具７の）前方従動スプロケット
７ｃ  （押し具７の）後方従動スプロケット
８    通路
９ａ  （搬送体６の）駆動スプロケット
９ｂ  （搬送体６の）従動スプロケット
１１    底面支持具
１２ａ  前方従動軸
１２ｂ  後方従動軸
１３    洗浄具
１３ａ  給水パイプ
１３ｂ  分岐パイプ
１４    筐体
１５    排水路
１６    胴体
１７    鍔
１７ａ  細長材
１７ｂ  空間
１８ａ  滑り止め突起
１８ｂ  滑り止め空間
１９    波状網
１９ａ  細幅板
２０    波板
２０ｂ  上挿入孔
２０ｃ  下挿入孔
２１    連結軸
２２ａ  （搬送体６の）網状走行体
２２ｂ  （押し具７の）網状走行体
２２ｃ  （網状走行体２２ａの）上走行部
２２ｄ  （網状走行体２２ａの）下走行部
２３    （搬送体６の）駆動軸
２４    （搬送体６の）従動軸
２５    走行体ガイド
２６    出口側案内体
２６ａ  横案内体
２６ｂ  縦案内体
２６ｃ  シュータ
２６ｄ  回収受け具
２６ｅ  溝付きプーリー
３０    側板
３１    駆動軸
３３    側面導入口
３４    入口
３５    出口
３６    洗浄液飛散防止具
３７    回収口
３８    ベルト
３９    押しローラ
４０    屈曲部
４１    滑り止め空間
４２    薄板
４３    滑り止め突起
４３ａ  （滑り止め突起の）開口側空間
４３ｂ  取り付け片
Ｆ    櫛型押し具
Ｌ    貝付きロープ
【手続補正２】
【補正対象書類名】特許請求の範囲
【補正対象項目名】全文
【補正方法】変更
【補正の内容】
【特許請求の範囲】
【請求項１】
養殖・天然物を係止した吊下げロープを外周に掛けて海中から引き上げるための漁業用回転体と、この吊下げロープを海中に送り込むための漁業用回転体の双方又はいずれか一方と、養殖・天然物を海中から引き上げながら洗浄可能な洗浄部を備えた洗浄装置において、
前記漁業用回転体の胴体が二以上の滑り止め突起及び滑り止め空間を備え、
一つの胴体が備える滑り止め突起は同じ形状であり、
前記滑り止め突起は、胴体にその外側に、滑り止め空間を設けて取り付けられ、
前記滑り止め空間は、雑物が付着した養殖・天然物が入り込んで養殖・天然物を滑り止め突起に係止し易くする空間であり、
前記洗浄装置は、前記漁業用回転体の胴体の外周に掛けて海中から引き上げられる養殖・天然物を搬送する無端コンベア式の搬送体と、搬送中の養殖・天然物を上方から押さえる押し具と、養殖・天然物に洗浄液を噴射して養殖・天然物を洗浄する洗浄具を備えたことを特徴とする養殖・天然物洗浄装置。
【請求項２】
養殖・天然物を係止した吊下げロープを外周に掛けて海中から引き上げるための漁業用回転体と、この吊下げロープを海中に送り込むための漁業用回転体の双方又はいずれか一方と、養殖・天然物を海中から引き上げながら洗浄可能な洗浄部を備えた洗浄装置において、
前記漁業用回転体の胴体が二以上の滑り止め突起及び滑り止め空間を備え、
一つの胴体が備える滑り止め突起は異なる形状であり、
前記滑り止め突起は、胴体にその外側に、滑り止め空間を設けて取り付けられ、
前記滑り止め空間は、雑物が付着した養殖・天然物が入り込んで養殖・天然物を滑り止め突起に係止し易くする空間であり、
前記洗浄装置は、前記漁業用回転体の胴体の外周に掛けて海中から引き上げられる養殖・天然物を搬送する無端コンベア式の搬送体と、搬送中の養殖・天然物を上方から押さえる押し具と、養殖・天然物に洗浄液を噴射して養殖・天然物を洗浄する洗浄具を備えたことを特徴とする養殖・天然物洗浄装置。
【請求項３】
養殖・天然物を係止した吊下げロープを外周に掛けて海中から引き上げるための漁業用回転体と、この吊下げロープを海中に送り込むための漁業用回転体の双方又はいずれか一方と、養殖・天然物を海中から引き上げながら洗浄可能な洗浄部を備えた洗浄装置において、
前記漁業用回転体の胴体が二以上の滑り止め突起及び滑り止め空間を備え、
前記滑り止め突起は、胴体にその外側に、滑り止め空間を設けて取り付けられ、
前記滑り止め空間は、前記滑り止め突起に設けられて、雑物が付着した養殖・天然物が入り込んで養殖・天然物を滑り止め突起に係止し易くする空間であり、
前記洗浄装置は、前記漁業用回転体の胴体の外周に掛けて海中から引き上げられる養殖・天然物を搬送する無端コンベア式の搬送体と、搬送中の養殖・天然物を上方から押さえる押し具と、養殖・天然物に洗浄液を噴射して養殖・天然物を洗浄する洗浄具を備えたことを特徴とする養殖・天然物洗浄装置。
【請求項４】
養殖・天然物を係止した吊下げロープを外周に掛けて海中から引き上げるための漁業用回転体と、この吊下げロープを海中に送り込むための漁業用回転体の双方又はいずれか一方と、養殖・天然物を海中から引き上げながら洗浄可能な洗浄部を備えた洗浄装置において、
前記漁業用回転体の胴体が二以上の滑り止め突起及び滑り止め空間を備え、
前記滑り止め突起は、胴体にその外側に、滑り止め空間を設けて取り付けられ、
前記滑り止め空間は、前記滑り止め突起間と滑り止め突起に設けられて、雑物が付着した養殖・天然物が入り込んで養殖・天然物を滑り止め突起に係止し易くする空間であり、
前記洗浄装置は、前記漁業用回転体の胴体の外周に掛けて海中から引き上げられる養殖・天然物を搬送する無端コンベア式の搬送体と、搬送中の養殖・天然物を上方から押さえる押し具と、養殖・天然物に洗浄液を噴射して養殖・天然物を洗浄する洗浄具を備えたことを特徴とする養殖・天然物洗浄装置。
【請求項５】
請求項１乃至請求項４のいずれか１項記載の養殖・天然物洗浄装置において、
洗浄装置の筐体が養殖・天然物を導入するための入口と、搬送体と押し具の間に前記入口から導入された養殖・天然物が通過する通路と、洗浄具で洗浄済みの養殖・天然物を送り出す出口と、を備えたことを特徴とする養殖・天然物洗浄装置。
【請求項６】
請求項１乃至請求項５のいずれか１項記載の養殖・天然物洗浄装置において、
滑り止め突起が形成されたシート又は薄板を回転体の胴体に取り付けることにより、胴体に滑り止め突起を設けたことを特徴とする養殖・天然物洗浄装置。
【請求項７】
請求項１乃至請求項６のいずれか１項記載の養殖・天然物洗浄装置において、
胴体が空間のあるフレームであり、そのフレームに滑り止め突起及び滑り止め空間を設けたことを特徴とする養殖・天然物洗浄装置。
【請求項８】
請求項７記載の養殖・天然物洗浄装置において、
胴体のフレームに、細幅長板を波形に曲げて山部と谷部を備えた波板を多数本取付け、その波板の山部を滑り止め突起とし、山部と谷部の間の空間を滑り止め空間としたことを特徴とする養殖・天然物洗浄装置。
【請求項９】
請求項８記載の養殖・天然物洗浄装置において、
胴体のフレームに、細幅長板を波形に曲げて山部と谷部を備えた波板を山部方向に多数本連結した波状網を取付け、その波状網の山部を滑り止め突起とし、山部と谷部の間の空間を滑り止め空間としたことを特徴とする養殖・天然物洗浄装置。
【手続補正３】
【補正対象書類名】図面
【補正対象項目名】図６
【補正方法】変更
【補正の内容】
【図６】
2011087489.tif 000014